(57)【要約】【課題】  入出庫作業をおこなった者が入出庫扉を閉じることを忘れないようにするための駐車装置の制御機器とその制御方法を提供する。【解決手段】  従来の駐車装置の制御機器に変わって、前記操作盤面に設けられ操作される呼釦と認証デバイスリーダと、を備え、入出庫扉の状態が閉止状態であるときに入出庫を要求する操作者が持つ特定の認証デバイスである特定認証デバイスが前記認証部に置かれていることを検知し且つ前記呼釦を操作されると入出庫扉の状態を閉止状態から開放状態の方に変化させ、入出庫扉の状態が閉止状態であるときに認証デバイスが前記認証部に置かれていないことを検知すると入出庫扉の状態を閉止状態から変化させない、処理である扉開処理を実行する、ものとした。【選択図】    図１
2020186561.tif 000002
【特許請求の範囲】
【請求項１】
認証デバイスを持つ操作者に対応する車両を閉止状態と開放状態との間で状態を変化できる入出庫扉をくぐって入出庫空間に入出庫させて駐車させる駐車装置の制御機器であって、
閉止状態が車両が通過不能な姿勢で停止している入出庫扉の状態であり、
開放状態が車両が通過可能な姿勢で停止している入出庫扉の状態であり、
中途停止状態が閉止状態と開放状態との間で変化する途中で停止している入出庫扉の状態であり、
操作者が操作する盤面である操作盤面と、
前記操作盤面に設けられ操作されると操作者に対応する車両の入出庫を要求することとなる手動操作器である呼釦と、
前記操作盤面に設けられ操作者により認証デバイスを置かれると認証デバイスを認証可能な状態になる部分である認証部をもつ認証デバイスリーダと、
を備え、
入出庫扉の状態が閉止状態であるときに入出庫を要求する操作者が持つ特定の認証デバイスである特定認証デバイスが前記認証部に置かれていることを検知し且つ操作者により前記呼釦を操作されると入出庫扉の状態を閉止状態から開放状態の方に変化させ、
入出庫扉の状態が閉止状態であるときに認証デバイスが前記認証部に置かれていないことを検知すると入出庫扉の状態を閉止状態から変化させない、処理である扉開処理を実行する、
ことを特徴とする駐車装置の制御機器。
【請求項２】
前記扉開処理が、
前記特定認証デバイスが前記認証部に置かれていることを検知しており入出庫扉の状態が閉止状態から開放状態へ変化する途中で前記特定認証デバイスが前記認証部から離されることを検知すると入出庫扉の状態を中途停止状態にする、
ことを特徴とする請求項１に記載の駐車装置の制御機器。
【請求項３】
前記扉開処理が、
入出庫扉の状態が中途停止状態であるときに前記特定認証デバイスが前記認証部に置かれていることを検知すると入出庫扉の状態を中途停止状態から開放状態の方に変化させ、
入出庫扉の状態が中途停止状態であるときに前記特定認証デバイスが前記認証部に置かれていないことを検知すると入出庫扉の状態を中途停止状態から変化させない、
ことを特徴とする請求項２に記載の駐車装置の制御機器。
【請求項４】
前記扉開処理が、
入出庫扉の状態が中途停止状態であるときに前記特定認証デバイスが前記認証部に置かれていることを検知し且つ前記呼釦を操作されると入出庫扉の状態を中途停止状態から開放状態の方に変化させ、
入出庫扉の状態が中途停止状態であるときに前記特定認証デバイスが前記認証部に置かれていないことを検知すると入出庫扉の状態を中途停止状態から変化させない、
ことを特徴とする請求項３に記載の駐車装置の制御機器。
【請求項５】
前記扉開処理が、
前記特定認証デバイスが前記認証部に置かれていることを検知しており入出庫扉の状態が閉止状態から開放状態へ変化する途中で前記特定認証デバイスが前記認証部から離されることを検知すると視覚または聴覚の少なくとも一つの感覚に感じさせる手段で操作者に警告する、  
ことを特徴とする請求項４に記載の駐車装置の制御機器。
【請求項６】
前記認証部が前記操作盤面の奥行き方向に延び奥に遷移するに従って下方に傾斜する面状の部分である、
ことを特徴とする請求項５に記載の駐車装置の制御機器。
【請求項７】
前記操作盤面に設けられ操作されると入出庫扉を開放状態から閉止状態に変化させることを要求することとなる手動操作器である扉閉釦と、
を備え、
入出庫扉の状態が開放状態であるときに前記扉閉釦を操作されると入出庫扉の状態を開放状態から閉止状態の方に変化させ、
入出庫扉の状態が開放状態であるときに前記扉開釦を押されないと入出庫扉の状態を開放状態から変化させない、処理である扉開処理を実行する、
ことを特徴とする請求項６に記載の駐車装置の制御機器。
【請求項８】
前記扉閉処理が、
入出庫扉の状態が開放状態であるときに前記特定認証デバイスが前記認証部に置かれていることを検知し且つ前記扉閉釦を操作されると入出庫扉の状態を開放状態から閉止状態の方に変化させ、
入出庫扉の状態が開放状態であるときに前記特定認証デバイスが前記認証部に置かれていないことを検知すると入出庫扉の状態を開放状態から変化させない、
ことを特徴とする請求項７に記載の駐車装置の制御機器。
【請求項９】
前記扉開処理が、
前記特定認証デバイスが前記認証部に置かれていることを検知しており入出庫扉の状態が閉止状態から開放状態へ変化する途中で前記特定認証デバイスが前記認証部から離されることを検知すると入出庫扉の状態を閉止状態に戻す、
ことを特徴とする請求項１に記載の駐車装置の制御機器。
【請求項１０】
前記扉開処理が、
前記特定認証デバイスが前記認証部に置かれていること検知しており入出庫扉の状態が閉止状態から開放状態への全工程の所定値％以前の途中工程中を変化する途中で前記特定認証デバイスが前記認証部から離されることを検知すると入出庫扉の状態を中途停止状態にし、
前記特定認証デバイスが前記認証部に置かれていることを検知しており入出庫扉の状態が閉止状態から開放状態への全工程の所定値％以降の途中工程中を変化する途中で前記特定認証デバイスが前記認証部から離されることを検知しても入出庫扉の状態を停止せず開放状態になるまで変化させる
ことを特徴とする請求項１に記載の駐車装置の制御機器。
【請求項１１】
前記扉開処理が、
前記特定認証デバイスが前記認証部に置かれていることを検知しており入出庫扉の状態が閉止状態から開放状態への全工程の所定値％以前の途中工程中を変化する途中で前記特定認証デバイスが前記認証部から離されることを検知すると入出庫扉の状態を停止した後で閉止状態に戻し、
前記特定認証デバイスが前記認証部に置かれていることを検知しており入出庫扉の状態が閉止状態から開放状態への全工程の所定値％以降の途中工程中を変化する途中で前記特定認証デバイスが前記認証部から離されることを検知しても入出庫扉の状態を停止せず開放状態になるまで変化させる、
ことを特徴とする請求項１に記載の駐車装置の制御機器。
【請求項１２】
前記扉開処理が、
前記特定認証デバイスが前記認証部に置かれていることを検知しており入出庫扉の状態が閉止状態から開放状態へ変化する途中で前記特定認証デバイスが前記認証部から離されることを検知すると視覚または聴覚の少なくとも一つの感覚に感じさせる手段で操作者に警告する、
ことを特徴とする請求項１に記載の駐車装置の制御機器。
【請求項１３】
前記認証部が前記操作盤面の奥行き方向に延び奥に遷移するに従って下方に傾斜する面状の部分である、
ことを特徴とする請求項１に記載の駐車装置の制御機器。
【請求項１４】
前記操作盤面に設けられ操作されると入出庫扉を開放状態から閉止状態に変化させることを要求することとなる手動操作器である扉閉釦と、
を備え、
入出庫扉の状態が開放状態であるときに前記扉閉釦を操作されると入出庫扉の状態を開放状態から閉止状態の方に変化させ、
入出庫扉の状態が開放状態であるときに前記扉開釦を操作されないと入出庫扉の状態を開放状態から変化させない、処理である扉閉処理を実行する、
ことを特徴とする請求項１に記載の駐車装置の制御機器。
【請求項１５】
前記扉閉処理が、
入出庫扉の状態が開放状態であるときに前記特定認証デバイスが前記認証部に置かれていることを検知し且つ前記扉閉釦を操作されると入出庫扉の状態を開放状態から閉止状態の方に変化させ、
入出庫扉の状態が開放状態であるときに前記特定認証デバイスが前記認証部に置かれていないことを検知すると入出庫扉の状態を開放状態から変化させない、
ことを特徴とする請求項１４に記載の駐車装置の制御機器。
【請求項１６】
前記扉閉処理が、
前記特定認証デバイスが認証部に置かれていることを検知しており入出庫扉の状態が開放状態であるときに前記特定認証デバイスが前記認証部から離されることを検知してから所定時間内に前記扉閉釦を操作されると入出庫扉の状態を開放状態から閉止状態の方に変化させ、
前記特定認証デバイスが認証部に置かれていることを検知しており入出庫扉の状態が開放状態であるときに前記特定認証デバイスが前記認証部から離されることを検知してから所定時間を越えると入出庫扉の状態を開放状態から変化させない、
ことを特徴とする請求項１５に記載の駐車装置の制御機器。
【請求項１７】
前記扉閉処理が、
前記特定認証デバイスが前記認証部に置かれていることを検知しており入出庫扉の状態が開放状態から閉止状態へ変化する途中で前記特定認証デバイスが前記認証部から離されることを検知しても入出庫扉の状態を停止せず閉止状態に変化させる、
ことを特徴とする請求項１５に記載の駐車装置の制御機器。
【請求項１８】
前記扉閉処理が、
前記特定認証デバイスが前記認証部に置かれていることを検知しており入出庫扉の状態が開放状態から閉止状態へ変化する途中で前記特定認証デバイスが前記認証部から離されることを検知すると入出庫扉を停止させる、
ことを特徴とする請求項１５に記載の駐車装置の制御機器。
【請求項１９】
前記扉閉処理が、
前記特定認証デバイスが前記認証部に置かれていることを検知しており入出庫扉の状態が開放状態から閉止状態への全工程の所定値％以前の途中工程中を変化する途中で前記特定認証デバイスが前記認証部から離されることを検知すると入出庫扉を停止させ、
前記特定認証デバイスが前記認証部に置かれていることを検知しており入出庫扉の状態が開放状態から閉止状態への全工程の所定値％以降の途中工程中を変化する途中で前記特定認証デバイスが前記認証部から離されることを検知しても入出庫扉の状態を停止せず閉止状態に変化させる、
ことを特徴とする請求項１５に記載の駐車装置の制御機器。
【請求項２０】
前記扉閉処理が、
前記特定認証デバイスが前記認証部に置かれていることを検知しており入出庫扉の状態が開放状態から閉止状態へ変化する途中で前記特定認証デバイスが前記認証部から離されることを検知すると入出庫扉の状態を停止した後で開放状態に戻す、
ことを特徴とする請求項１５に記載の駐車装置の制御機器。
【請求項２１】
前記扉閉処理が、
前記特定認証デバイスが前記認証部に置かれていることを検知しており入出庫扉の状態が開放状態から閉止状態への全工程の所定値％以前の途中工程中を変化する途中で前記特定認証デバイスが前記認証部から離されることを検知すると入出庫扉の状態を停止した後で開放状態に戻す、
前記特定認証デバイスが前記認証部に置かれていることを検知しており入出庫扉の状態が開放状態から閉止状態への全工程の所定値％以降の途中工程中を変化する途中で前記特定認証デバイスが前記認証部から離されることを検知しても入出庫扉の状態を閉止状態まで変化させる、
ことを特徴とする請求項１５に記載の駐車装置の制御機器。
【請求項２２】
認証デバイスを持つ操作者に対応する車両を閉止状態と開放状態との間で状態を変化できる入出庫扉をくぐって入出庫空間に入出庫させて駐車させる駐車装置の制御方法であって、
閉止状態が車両が通過不能な姿勢で停止している入出庫扉の状態であり、
開放状態が車両が通過可能な姿勢で停止している入出庫扉の状態であり、
中途停止状態が閉止状態と開放状態との間で変化する途中で停止している入出庫扉の状態であり、
操作者が操作する盤面である操作盤面と前記操作盤面に設けられ操作されると操作者に対応する車両の入出庫を要求することとなる手動操作器である呼釦と前記操作盤面に設けられ操作者により認証デバイスを置かれると認証デバイスを認証可能な状態になる部分である認証部をもつ認証デバイスリーダと前記操作盤面に設けられ操作されると入出庫扉を開放状態から閉止状態に変化させることを要求することとなる手動操作器である扉閉釦とを有する制御機器を準備する準備工程と、
前記認証部に置かれた認証デバイスに関連づけられた操作者を認証する第一認証工程と、
入出庫空間の状態を車両を入出庫できる状態である入出庫可能状態にする呼出工程と、
入出庫扉の状態を閉状態から開状態に変化させる扉開工程と、
操作者を認証する第二認証工程と、
前記記第二認証工程で認証した操作者と前記第二認証工程で認証した操作者とが同一であるか否かを判断する操作者判定工程と、
入出庫扉の状態を開状態から閉状態に変化させる扉閉工程と、
を備え、
前記扉開工程は、
入出庫扉の状態が閉止状態であるときに入出庫を要求する操作者が持つ特定の認証デバイスである特定認証デバイスが前記認証部に置かれていることを検知し且つ前記呼釦を操作されると入出庫扉の状態を閉止状態から開放状態の方に変化させ、
入出庫扉の状態が閉止状態であるときに認証デバイスが前記認証部に置かれていないことを検知すると入出庫扉の状態を閉止状態から変化させない、
ことを特徴とする駐車装置の制御方法。
【請求項２３】
前記扉開工程が、
前記特定認証デバイスが前記認証部に置かれていることを検知しており入出庫扉の状態が閉止状態から開放状態へ変化する途中で前記特定認証デバイスが前記認証部から離されることを検知すると入出庫扉の状態を中途停止状態にする、
ことを特徴とする請求項２２に記載の駐車装置の制御方法。
【請求項２４】
前記第二認証工程と前記操作者判定工程とを実施した後で、前記特定認証デバイスが前記認証部に置かれていることを検知し且つ前記操作者判定工程が前記第一認証工程で認証した操作者と前記第二認証工程で認証した操作者とが同一であると判断するとき前記扉閉工程の実施を許し、
前記第二認証工程と前記操作者判定工程とを実施した後で、前記特定認証デバイスが前記認証部に置かれていないことを検知するとき前記扉閉工程の実施を許さない、
ことを特徴とする請求項２２に記載の駐車装置の制御方法。
【請求項２５】
認証デバイスを持つ操作者に対応する車両を閉止状態と開放状態との間で状態を変化できる入出庫扉をくぐって入出庫空間に入出庫させて駐車させる駐車装置の制御方法であって、
閉止状態が車両が通過不能な姿勢で停止している入出庫扉の状態であり、
開放状態が車両が通過可能な姿勢で停止している入出庫扉の状態であり、
中途停止状態が閉止状態と開放状態との間で変化する途中で停止している入出庫扉の状態であり、
操作者が操作する盤面である操作盤面と前記操作盤面に設けられ操作されると操作者に対応する車両の入出庫を要求することとなる手動操作器である呼釦と前記操作盤面に設けられ操作者により認証デバイスを置かれると認証デバイスを認証可能な状態になる部分である認証部をもつ認証デバイスリーダと前記操作盤面に設けられ操作されると入出庫扉を開放状態から閉止状態に変化させることを要求することとなる手動操作器である扉閉釦とを有する制御機器を準備する準備工程と、
前記認証部に置かれた認証デバイスに関連づけられた操作者を認証する第一認証工程と、
入出庫空間の状態を車両を入出庫できる状態である入出庫可能状態にする呼出工程と、
入出庫扉の状態を閉状態から開状態に変化させる扉開工程と、
操作者を認証する第二認証工程と、
前記第一認証工程で認証した操作者とと前記第二認証工程で認証した操作者とが同一であるか否かを判断する操作者判定工程と、
入出庫扉の状態を開状態から閉状態に変化させる扉閉工程と、
を備え、
前記第二認証工程と前記操作者判定工程とを実施した後で、入出庫を要求する操作者が持つ特定の認証デバイスである特定認証デバイスが前記認証部に置かれていることを検知し且つ前記操作者判定工程が前記第一認証工程で認証した操作員と前記第二認証工程で認証した操作者とが同一でるると判断するとき前記扉閉工程の実施を許し、
前記第二認証工程と前記操作者判定工程とを実施した後で、前記特定認証デバイスが前記認証部に置かれていないことを検知するとき、前記扉閉工程の実施を許さない、
ことを特徴とする駐車装置の制御方法。
【発明の詳細な説明】
【技術分野】
【０００１】
本発明は、複数の車両を駐車させる駐車装置の制御機器とその制御方法に係る。
【背景技術】
【０００２】
駐車装置を操作する際は、操作者が安全を確認して操作する。
車両を駐車装置に入れるときに、操作者が操作盤面を操作する。
例えば、車両を駐車装置から出すときに、操作者が操作盤面を操作する。
操作者が車両の運転手である場合がある。
例えば、車両を駐車装置に入れるときに、駐車装置の入出庫空間に車両を入れる運転手が操作盤面を操作する。
例えば、車両を駐車装置から出すときに、駐車装置の入出庫空間から車両を出す運転手が操作盤面を操作する。
【０００３】
入出庫扉が入出庫空間に設けられる。
入出庫する時を除いて入出庫扉が閉じられ、人が安易に入出庫空間に入れない。
【０００４】
安全を確保するために、通常操作では入出庫作業をした操作者のみが入出庫扉を閉める様にしてもよい。
【０００５】
例えば、車両を駐車装置に入れるときは、認証デバイスにより１回目の認証をし、入出庫扉を開き、その後運転手が車両を入出庫空間に入れ、運転手が入出庫空間から退避した後で、２回目の認証をし、入出庫扉を閉じる。
例えば、車両を駐車装置から出すときは、認証デバイスにより１回目の認証をし、入出庫扉を開き、運転手が入出庫空間に入り、その他運転手が車両を入出庫空間から出した後、運転手が一旦車両から降りて、２回目の認証をし、入出庫扉を閉じる。
【０００６】
入出庫作業の後で運転手が入出庫扉を閉じずに、その場から立ち去る場合がある。
入出庫作業の後で運転手が２回目の認証をせずに入出庫扉を閉じずに、その場から立ち去る場合がある。
その様な場合に、特別な操作をすることで、他の運転手または操作員が駐車装置を再起動する。
【０００７】
特に、認証デバイスを非接触で認証デバイスリーダで読み込ませる形式をとっている駐車装置において、入出庫作業の後で運転手が２回目の認証をすることを忘れて、入出庫扉を閉じずに、その場から立ち去る。
【発明の概要】
【発明が解決しようとする課題】
【０００８】
本発明は以上に述べた問題点に鑑み案出されたもので、入出庫扉を開いた者が入出庫扉を閉じることを忘れることを防止する等をして安定した運営をするための駐車装置の制御機器と駐車装置の制御方法を提供する。
【課題を解決するための手段】
【０００９】
上記目的を達成するため、本発明に係る認証デバイスを持つ操作者に対応する車両を閉止状態と開放状態との間で状態を変化できる入出庫扉をくぐって入出庫空間に入出庫させて駐車させる駐車装置の制御機器を、閉止状態が車両が通過不能な姿勢で停止している入出庫扉の状態であり、開放状態が車両が通過可能な姿勢で停止している入出庫扉の状態であり、中途停止状態が閉止状態と開放状態との間で変化する途中で停止している入出庫扉の状態であり、操作者が操作する盤面である操作盤面と、前記操作盤面に設けられ操作されると操作者に対応する車両の入出庫を要求することとなる手動操作器である呼釦と、前記操作盤面に設けられ認証デバイスを置かれると認証デバイスを認証可能な状態になる部分である認証部をもつ認証デバイスリーダと、を備え、
入出庫扉の状態が閉止状態であるときに入出庫を要求する操作者が持つ特定の認証デバイスである特定認証デバイスが前記認証部に置かれていることを検知し且つ前記呼釦を操作されると入出庫扉の状態を閉止状態から開放状態の方に変化させ、
入出庫扉の状態が閉止状態であるときに認証デバイスが前記認証部に置かれていないことを検知すると入出庫扉の状態を閉止状態から変化させない、処理である扉開処理を実行する、ものとした。
【００１０】
上記本発明の構成により、操作盤面は、操作者が操作する盤面である。呼釦は、前記操作盤面に設けられ操作されると操作者に対応する車両の入出庫を要求することとなる手動操作器である。認証デバイスリーダが、前記操作盤面に設けられ認証デバイスを置かれると認証デバイスを認証可能な状態になる部分である認証部をもつ。入出庫扉の状態が閉止状態であるときに入出庫を要求する操作者が持つ特定の認証デバイスである特定認証デバイスが前記認証部に置かれていることを検知し且つ前記呼釦を操作されると入出庫扉の状態を閉止状態から開放状態の方に変化させる。入出庫扉の状態が閉止状態であるときに認証デバイスが前記認証部に置かれていないことを検知すると入出庫扉の状態を閉止状態から変化させない。
その結果、操作者が認証デバイスを認証デバイスリーダの認証部に置くように誘導できる。
【００１１】
以下に、本発明の実施形態に係る駐車装置の制御機器を説明する。本発明は、以下に記載した実施形態のいずれか、またはそれらの中の二つ以上が組み合わされた態様を含む。
【００１２】
本発明の実施形態に係る駐車装置の制御機器は、前記扉開処理が、前記特定認証デバイスが前記認証部に置かれていることを検知しており入出庫扉の状態が閉止状態から開放状態へ変化する途中で前記特定認証デバイスが前記認証部から離されることを検知すると入出庫扉の状態を中途停止状態にする。
上記の実施形態の構成により、前記特定認証デバイスが前記認証部に置かれていることを検知しており入出庫扉の状態が閉止状態から開放状態へ変化する途中で前記特定認証デバイスが前記認証部から離されることを検知すると入出庫扉の状態を中途停止状態にする。
その結果、操作者が認証デバイスを認証デバイスリーダの認証部から離すのを抑制できる。
【００１３】
本発明の実施形態に係る駐車装置の制御機器は、前記扉開処理が、入出庫扉の状態が中途停止状態であるときに前記特定認証デバイスが前記認証部に置かれていることを検知すると入出庫扉の状態を中途停止状態から開放状態の方に変化させ、入出庫扉の状態が中途停止状態であるときに前記特定認証デバイスが前記認証部に置かれていないことを検知すると入出庫扉の状態を中途停止状態から変化させない。
上記の実施形態の構成により、入出庫扉の状態が中途停止状態であるときに前記特定認証デバイスが前記認証部に置かれていることを検知すると入出庫扉の状態を中途停止状態から開放状態の方に変化させる。入出庫扉の状態が中途停止状態であるときに前記特定認証デバイスが前記認証部に置かれていないことを検知すると入出庫扉の状態を中途停止状態から変化させない。
その結果、操作者が認証デバイスを認証デバイスリーダの認証部に置くように誘導できる。
【００１４】
本発明の実施形態に係る駐車装置の制御機器は、前記扉開処理が、入出庫扉の状態が中途停止状態であるときに前記特定認証デバイスが前記認証部に置かれていないことを検知し且つ前記呼釦を操作されると入出庫扉の状態を中途停止状態から開放状態の方に変化させ、入出庫扉の状態が中途停止状態であるときに前記特定認証デバイスが前記認証部に置かれていないことを検知すると入出庫扉の状態を中途停止状態から変化させない。
上記の実施形態の構成により、入出庫扉の状態が中途停止状態であるときに前記特定認証デバイスが前記認証部に置かれていることを検知し且つ前記呼釦を操作されると入出庫扉の状態を中途停止状態から開放状態の方に変化させる。入出庫扉の状態が中途停止状態であるときに前記特定認証デバイスが前記認証部に置かれていないことを検知すると入出庫扉の状態を中途停止状態から変化させない。
その結果、操作者が認証デバイスを認証デバイスリーダの認証部に置くように誘導できる。
【００１５】
本発明の実施形態に係る駐車装置の制御機器は、前記扉開処理が、前記特定認証デバイスが前記認証部に置かれていることを検知しており入出庫扉の状態が閉止状態から開放状態へ変化する途中で前記特定認証デバイスが前記認証部から離されることを検知すると入出庫扉の状態を閉止状態に戻す。
上記の実施形態の構成により、前記特定認証デバイスが前記認証部に置かれていることを検知しており入出庫扉の状態が閉止状態から開放状態へ変化する途中で前記特定認証デバイスが前記認証部から離されることを検知すると入出庫扉の状態を閉止状態に戻す。
その結果、操作者が認証デバイスを認証デバイスリーダの認証部から離すのを抑制できる。
【００１６】
本発明の実施形態に係る駐車装置の制御機器は、前記扉開処理が、前記特定認証デバイスが前記認証部に置かれていることを検知しており入出庫扉の状態が閉止状態から開放状態への全工程の所定値％以前の途中工程中を変化する途中で前記特定認証デバイスが前記認証部から離されることを検知すると入出庫扉の状態を中途停止状態にし、前記特定認証デバイスが前記認証部に置かれいることを検知しており入出庫扉の状態が閉止状態から開放状態への全工程の所定値％以降の途中工程中を変化する途中で前記特定認証デバイスが前記認証部から離されることを検知しても入出庫扉の状態を停止せず開放状態になるまで変化させる。
上記の実施形態の構成により、前記特定認証デバイスが前記認証部に置かれていることを検知しており入出庫扉の状態が閉止状態から開放状態への全工程の所定値％以前の途中工程中を変化する途中で前記特定認証デバイスが前記認証部から離されることを検知すると入出庫扉の状態を中途停止状態にする。前記特定認証デバイスが前記認証部に置かれていることを検知しており入出庫扉の状態が閉止状態から開放状態への全工程の所定値％以降の途中工程中を変化する途中で前記特定認証デバイスが前記認証部から離されることを検知しても入出庫扉の状態を停止せず開放状態になるまで変化させる。
その結果、操作者が認証デバイスをイメージリーダの認証部から離したときに、操作者が認証デバイスを認証デバイスリーダの認証部から離すのを抑制でき、入出庫扉が開放状態に近い中途半端な状態で停止するのを防止できる。
【００１７】
本発明の実施形態に係る駐車装置の制御機器は、前記扉開処理が、前記特定認証デバイスが前記認証部に置かれていることを検知しており入出庫扉の状態が閉止状態から開放状態への全工程の所定値％以前の途中工程中を変化する途中で前記特定認証デバイスが前記認証部から離されることを検知すると入出庫扉の状態を停止した後で閉止状態に戻し、前記特定認証デバイスが前記認証部に置かれていることを検知しており入出庫扉の状態が閉止状態から開放状態への全工程の所定値％以降の途中工程中を変化する途中で前記特定認証デバイスが前記認証部から離されることを検知しても入出庫扉の状態を停止せず開放状態になるまで変化させる。
上記の実施形態の構成により、前記特定認証デバイスが前記認証部に置かれていることを検知しており入出庫扉の状態が閉止状態から開放状態への全工程の所定値％以前の途中工程中を変化する途中で前記特定認証デバイスが前記認証部から離されることを検知すると入出庫扉の状態を停止した後で閉止状態に戻す。前記特定認証デバイスが前記認証部に置かれていることを検知しており入出庫扉の状態が閉止状態から開放状態への全工程の所定値％以降の途中工程中を変化する途中で前記特定認証デバイスが前記認証部から離されることを検知しても入出庫扉の状態を停止せず開放状態になるまで変化させる。
その結果、操作者が認証デバイスを認証デバイスリーダの認証部から離すのを抑制でき、入出庫扉が開放状態に近い中途半端な状態で停止するのを防止できる。
【００１８】
本発明の実施形態に係る駐車装置の制御機器は、前記扉開処理が、前記特定認証デバイスが前記認証部に置かれていることを検知しており入出庫扉の状態が閉止状態から開放状態へ変化する途中で前記特定認証デバイスが前記認証部から離されることを検知すると視覚または聴覚の少なくとも一つの感覚に感じさせる手段で操作者に警告する。
上記の実施形態の構成により、前記特定認証デバイスが前記認証部に置かれていることを検知しており入出庫扉の状態が閉止状態から開放状態へ変化する途中で前記特定認証デバイスが前記認証部から離されることを検知すると視覚または聴覚の少なくとも一つの感覚に感じさせる手段で操作者に警告する。
その結果、操作者が、操作者が認証デバイスを認証デバイスリーダの認証部から離すのを抑制できる。
【００１９】
本発明の実施形態に係る駐車装置の制御機器は、前記認証部が前記操作盤面の奥行き方向に延び奥に遷移するに従って下方に傾斜する面状の部分である。
上記の実施形態の構成により、前記認証部が前記操作盤面の奥行き方向に延び奥に遷移するに従って下方に傾斜する面状の部分である。
その結果、認証デバイスリーダに認証部に置かれた認証デバイスが認証部から滑り落ちるのを抑制できる。
【００２０】
本発明の実施形態に係る駐車装置の制御機器は、前記操作盤面に設けられ操作されると入出庫扉を開放状態から閉止状態に変化させることを要求することとなる手動操作器である扉閉釦と、を備え、入出庫扉の状態が開放状態であるときに前記扉閉釦を操作されると入出庫扉の状態を開放状態から閉止状態の方に変化させ、入出庫扉の状態が開放状態であるときに前記扉開釦を操作されないと入出庫扉の状態を開放状態から変化させない、処理である扉閉処理を実行する。
上記の実施形態の構成により、操作盤面に扉開釦を準備する。入出庫扉の状態が開放状態であるときに前記扉閉釦を操作されると入出庫扉の状態を開放状態から閉止状態の方に変化させる。入出庫扉の状態が開放状態であるときに前記扉開釦を操作されないと入出庫扉の状態を開放状態から変化させない。
その結果、扉閉処理時に操作者の操作により入出庫扉を閉じる。
【００２１】
本発明の実施形態に係る駐車装置の制御機器は、前記扉閉処理が、入出庫扉の状態が開放状態であるときに前記特定認証デバイスが前記認証部に置かれていることを検知し且つ前記扉閉釦を操作されると入出庫扉の状態を開放状態から閉止状態の方に変化させ、入出庫扉の状態が開放状態であるときに前記特定認証デバイスが前記認証部に置かれていないことを検知すると入出庫扉の状態を開放状態から変化させない。
上記の実施形態の構成により、入出庫扉の状態が開放状態であるときに前記特定認証デバイスが前記認証部に置かれていることを検知し且つ前記扉閉釦を操作されると入出庫扉の状態を開放状態から閉止状態の方に変化させる。入出庫扉の状態が開放状態であるときに前記特定認証デバイスが前記認証部に置かれていないことを検知すると入出庫扉の状態を開放状態から変化させない。
その結果、扉閉処理時に操作者が認証デバイスを認証デバイスリーダの認証部から離すのを抑制できる。
【００２２】
本発明の実施形態に係る駐車装置の制御機器は、前記扉閉処理が、前記特定認証デバイスが認証部に置かれていることを検知しており入出庫扉の状態が開放状態であるときに前記特定認証デバイスが前記認証部から離されるのを検知してから所定時間内に前記扉閉釦を操作されると入出庫扉の状態を開放状態から閉止状態の方に変化させ、前記特定認証デバイスが認証部に置かれていることを検知しており入出庫扉の状態が開放状態であるときに前記特定認証デバイスが前記認証部から離されるのを検知してから所定時間を越えると入出庫扉の状態を開放状態から変化させない。
上記の実施形態の構成により、前記扉閉処理において、前記特定認証デバイスが認証部に置かれており入出庫扉の状態が開放状態であるときに前記特定認証デバイスが前記認証部から離されるのを検知してから所定時間内に前記扉閉釦を操作されると入出庫扉の状態を開放状態から閉止状態の方に変化させる。前記特定認証デバイスが認証部に置かれており入出庫扉の状態が開放状態であるときに前記特定認証デバイスが前記認証部から離されるのを検知してから所定時間を越えると入出庫扉の状態を開放状態から変化させない。
その結果、扉閉処理時に操作者が認証デバイスを認証デバイスリーダの認証部から離しても扉を閉めることができる。
【００２３】
本発明の実施形態に係る駐車装置の制御機器は、前記扉閉処理が、前記特定認証デバイスが前記認証部に置かれていることを検知しており入出庫扉の状態が開放状態から閉止状態へ変化する途中で前記特定認証デバイスが前記認証部から離されることを検知しても入出庫扉の状態を停止せず閉止状態に変化させる、
上記の実施形態の構成により、前記特定認証デバイスが前記認証部に置かれていることを検知しており入出庫扉の状態が開放状態から閉止状態への変化する途中で前記特定認証デバイスが前記認証部から離されることを検知しても入出庫扉の状態を停止せず閉止状態に変化させる。
その結果、入出庫扉が閉じ始めると操作者の操作にかかわらず閉止状態になる。
【００２４】
本発明の実施形態に係る駐車装置の制御機器は、前記扉閉処理が、前記扉閉処理が、前記特定認証デバイスが前記認証部に置かれていることを検知しており入出庫扉の状態が開放状態から閉止状態へ変化する途中で前記特定認証デバイスが前記認証部から離されることを検知すると入出庫扉を停止させる。
上記の実施形態の構成により、前記特定認証デバイスが前記認証部に置かれていることを検知しており入出庫扉の状態が開放状態から閉止状態への変化する途中で前記特定認証デバイスが前記認証部から離されることを検知すると入出庫扉を停止させる。
その結果、操作者が認証デバイスを認証デバイスリーダの認証部から離すのを抑制でき、入出庫扉が閉止状態になるまで操作者を操作盤面に引き止めることができる。
【００２５】
本発明の実施形態に係る駐車装置の制御機器は、前記扉閉処理が、前記特定認証デバイスが前記認証部に置かれていることを検知しており入出庫扉の状態が開放状態から閉止状態への全工程の所定値％以前の途中工程中を変化する途中で前記特定認証デバイスが前記認証部から離されることを検知すると入出庫扉を停止させ、前記特定認証デバイスが前記認証部に置かれていることを検知しており入出庫扉の状態が開放状態から閉止状態への全工程の所定値％以降の途中工程中を変化する途中で前記特定認証デバイスが前記認証部から離されることを検知しても入出庫扉の状態を停止せず閉止状態に変化させる。
上記の実施形態の構成により、前記特定認証デバイスが前記認証部に置かれていることを検知しており入出庫扉の状態が開放状態から閉止状態への全工程の所定値％以前の途中工程中を変化する途中で前記特定認証デバイスが前記認証部から離されることを検知すると入出庫扉を停止させる。前記特定認証デバイスが前記認証部に置かれていることを検知しており入出庫扉の状態が開放状態から閉止状態への全工程の所定値％以降の途中工程中を変化する途中で前記特定認証デバイスが前記認証部から離されることを検知しても入出庫扉の状態を停止せず閉止状態まで変化させる。
その結果、操作者が認証デバイスを認証デバイスリーダの認証部から離すのを抑制でき、入出庫扉が閉止状態になるまで操作者を操作盤面に引き止めることができ、且つ入出庫扉が閉止状態に近い中途半端な状態で停止するのを防止できる。
【００２６】
本発明の実施形態に係る駐車装置の制御機器は、前記扉閉処理が、前記特定認証デバイスが前記認証部に置かれていることを検知しており入出庫扉の状態が開放状態から閉止状態へ変化する途中で前記特定認証デバイスが前記認証部から離されることを検知すると入出庫扉の状態を停止した後で開放状態に戻す。
上記の実施形態の構成により、前記特定認証デバイスが前記認証部に置かれていることを検知しており入出庫扉の状態が開放状態から閉止状態へ変化する途中で前記特定認証デバイスが前記認証部から離されることを検知すると入出庫扉の状態を停止した後で開放状態に戻す。
その結果、操作者が認証デバイスを認証デバイスリーダの認証部から離すのを抑制でき、入出庫扉が閉止状態になるまで操作者を操作盤面に引き止めることができる。
【００２７】
本発明の実施形態に係る駐車装置の制御機器は、前記扉閉処理が、前記特定認証デバイスが前記認証部に置かれていることを検知しており入出庫扉の状態が開放状態から閉止状態への全工程の所定値％以前の途中工程中を変化する途中で前記特定認証デバイスが前記認証部から離されることを検知すると入出庫扉の状態を停止した後で開放状態に戻し、前記特定認証デバイスが前記認証部に置かれていることを検知しており入出庫扉の状態が開放状態から閉止状態への全工程の所定値％以降の途中工程中を変化する途中で前記特定認証デバイスが前記認証部から離されることを検知しても入出庫扉の状態を閉止状態まで変化させる。
上記の実施形態の構成により、前記特定認証デバイスが前記認証部に置かれていることを検知しており入出庫扉の状態が開放状態から閉止状態への全工程の所定値％以前の途中工程中を変化する途中で前記特定認証デバイスが前記認証部から離されることを検知すると入出庫扉の状態を停止した後で開放状態に戻す。前記特定認証デバイスが前記認証部に置かれていることを検知しており入出庫扉の状態が開放状態から閉止状態への全工程の所定値％以降の途中工程中を変化する途中で前記特定認証デバイスが前記認証部から離されることを検知しても入出庫扉の状態を閉止状態まで変化させる。
その結果、操作者が認証デバイスを認証デバイスリーダの認証部から離すのを抑制でき、入出庫扉が閉止状態になるまで操作者を操作盤面に引き止めることができ、且つ入出庫扉が閉止状態に近い中途半端な状態で停止するのを防止できる。
【００２８】
上記目的を達成するため、本発明に係る認証デバイスを持つ操作者に対応する車両を閉止状態と開放状態との間で状態を変化できる入出庫扉をくぐって入出庫空間に入出庫させて駐車させる駐車装置の制御方法であって、閉止状態が車両が通過不能な姿勢で停止している入出庫扉の状態であり、開放状態が車両が通過可能な姿勢で停止している入出庫扉の状態であり、中途停止状態が閉止状態と開放状態との間で変化する途中で停止している入出庫扉の状態であり、操作者が操作する盤面である操作盤面と前記操作盤面に設けられ操作されると操作者に対応する車両の入出庫を要求することとなる手動操作器である呼釦と前記操作盤面に設けられ認証デバイスを置かれると認証デバイスを認証可能な状態になる部分である認証部をもつ認証デバイスリーダと前記操作盤面に設けられ操作されると入出庫扉を開放状態から閉止状態に変化させることを要求することとなる手動操作器である扉閉釦とを有する制御機器を準備する準備処理と、前記認証部に置かれた認証デバイスに関連づけられた操作者を認証する第一認証工程と、入出庫空間の状態を車両を入出庫できる状態である入出庫可能状態にする呼出処理と、入出庫扉の状態を閉止状態から開放状態に変化させる扉開処理と、操作者を認証する第二認証処理と、前記特定認証コードと前記第二認証処理で認証した操作者とが関連づけられているか否かを判断する操作者判定処理と、入出庫扉の状態を開放状態から閉止状態に変化させる扉閉処理と、を備え、
前記扉開処理は、入出庫扉の状態が閉止状態であるときに入出庫を要求する操作者が持つ特定の認証デバイスである特定認証デバイスが前記認証部に置かれていることを検知し且つ前記呼釦を操作されると入出庫扉の状態を閉止状態から開放状態の方に変化させ、入出庫扉の状態が閉止状態であるときに認証デバイスが前記認証部に置かれていないことを検知すると入出庫扉の状態を閉止状態から変化させない、ものとした。
【００２９】
上記本発明の構成により、準備処理が、操作者が操作する盤面である操作盤面と前記操作盤面に設けられ操作されると操作者に対応する車両の入出庫を要求することとなる手動操作器である呼釦と前記操作盤面に設けられ認証デバイスを置かれると認証デバイスを認証可能な状態になる部分である認証部をもつ認証デバイスリーダと前記操作盤面に設けられ操作されると入出庫扉を開放状態から閉止状態に変化させることを要求することとなる手動操作器である扉閉釦とを有する制御機器を準備する。第一認証処理が、前記認証部に置かれた認証デバイスに関連づけられた操作者を認証する。呼出処理が、入出庫空間の状態を車両を入出庫できる状態である入出庫可能状態にする。扉開処理が、入出庫扉の状態を閉止状態から開放状態に変化させる。第二認証処理が、操作者を認証する。操作者判定処理が、前記特定認証コードと前記第二認証処理で認証した操作者とが関連づけられているか否かを判断する。扉閉処理が、入出庫扉の状態を開放状態から閉止状態に変化させる。
前記扉開処理は、入出庫扉の状態が閉止状態であるときに入出庫を要求する操作者が持つ特定の認証デバイスである特定認証デバイスが前記認証部に置かれていることを検知し且つ前記呼釦を操作されると入出庫扉の状態を閉止状態から開放状態の方に変化させる。
入出庫扉の状態が閉止状態であるときに認証デバイスが前記認証部に置かれていないことを検知すると入出庫扉の状態を閉止状態から変化させない。
その結果、操作者が認証デバイスを認証デバイスリーダの認証部に置くように誘導できる。
【００３０】
以下に、本発明の実施形態に係る駐車装置の制御方法を説明する。本発明は、以下に記載した実施形態のいずれか、またはそれらの中の二つ以上が組み合わされた態様を含む。
【００３１】
本発明の実施形態に係る駐車装置の制御方法は、前記扉開処理が、前記特定認証デバイスが前記認証部に置かれていることを検知しており入出庫扉の状態が閉止状態から開放状態へ変化する途中で前記特定認証デバイスが前記認証部から離されることを検知すると入出庫扉の状態を中途停止状態にする。
上記の実施形態の構成により、前記特定認証デバイスが前記認証部に置かれていることを検知しており入出庫扉の状態が閉止状態から開放状態へ変化する途中で前記特定認証デバイスが前記認証部から離されることを検知すると入出庫扉の状態を中途停止状態にする。
その結果、操作者が認証デバイスを認証デバイスリーダの認証部から離すのを抑制できる。
【００３２】
本発明の実施形態に係る駐車装置の制御方法は、前記第二認証工程と前記操作者判定処理とを実施した後で、前記特定認証デバイスが前記認証部に置かれていることを検知し且つ前記操作者判定処理が前記第一認証処理で認証した操作者と前記第二認証処理で認証した操作者とが同一であると判断するとき前記扉閉処理の実施を許し、前記第二認証工程と前記操作者判定処理とを実施した後で前記特定認証デバイスが前記認証部に置かれていないことを検知したとき前記扉閉処理の実施を許さない。
上記の実施形態の構成により、前記操作者判定処理を実施した後で、前記第二認証工程と前記操作者判定処理とを実施した後で、前記特定認証デバイスが前記認証部に置かれていることを検知し且つ前記操作者判定処理が前記第一認証処理で認証した操作者と前記第二認証処理で認証した操作者とが同一であると判断するとき前記扉閉処理の実施を許す。前記第二認証工程と前記操作者判定処理とを実施した後で、前記特定認証デバイスが前記認証部に置かれていないことを検知するとき、前記扉閉処理の実施を許さない。
その結果、異なる操作者が扉閉処理をするのを防止できる。
【発明の効果】
【００３３】
以上説明したように、本発明に係る駐車装置の制御機器は、その構成により、以下の効果を有する。
操作盤面に呼釦と認証デバイスリーダとを準備し、入出庫扉の状態が閉止状態であるときに入出庫を要求する操作者のもつ特定認証デバイスが操作者により前記認証部に置かれて且つ操作者により前記呼釦を操作されると入出庫扉の状態を閉止状態から開放状態の方に変化させ、
入出庫扉の状態が閉止状態であるときに認証デバイスが前記認証部に置かれていないと入出庫扉の状態を閉止状態から変化させない様にしたので、操作者が認証デバイスを認証デバイスリーダの認証部に置くように誘導できる。
また、前記特定認証デバイスが前記認証部に置かれており入出庫扉の状態が閉止状態から開放状態へ変化する途中で前記特定認証デバイスが操作者により前記認証部から離されると入出庫扉の状態を中途停止状態にする様にしたので、操作者が認証デバイスを認証デバイスリーダの認証部から離すのを抑制できる。
また、入出庫扉の状態が中途停止状態であるときに前記特定認証デバイスが操作者により前記認証部に置かれると入出庫扉の状態を中途停止状態から開放状態の方に変化させ、入出庫扉の状態が中途停止状態であるときに前記特定認証デバイスが前記認証部に置かれていないと入出庫扉の状態を中途停止状態から変化させない様にしたので、操作者が認証デバイスを認証デバイスリーダの認証部に置くように誘導できる。
また、入出庫扉の状態が中途停止状態であるときに前記特定認証デバイスが操作者により前記認証部に置かれて且つ操作者により前記呼釦を操作されると入出庫扉の状態を中途停止状態から開放状態の方に変化させ、入出庫扉の状態が中途停止状態であるときに前記特定認証デバイスが前記認証部に置かれていないと入出庫扉の状態を中途停止状態から変化させない様にしたので、操作者が認証デバイスを認証デバイスリーダの認証部に置くように誘導できる。
また、前記特定認証デバイスが前記認証部に置かれており入出庫扉の状態が閉止状態から開放状態へ変化する途中で操作者により前記特定認証デバイスが前記認証部から離されると入出庫扉の状態を閉止状態に戻す様にしたので、操作者が認証デバイスを認証デバイスリーダの認証部から離すのを抑制できる。
また、前記特定認証デバイスが前記認証部に置かれており入出庫扉の状態が閉止状態から開放状態への全工程の所定値％以前の途中工程中を変化する途中で前記特定認証デバイスが操作者により前記認証部から離されると入出庫扉の状態を中途停止状態にし、
前記特定認証デバイスが前記認証部に置かれおり入出庫扉の状態が閉止状態から開放状態への全工程の所定値％以降の途中工程中を変化する途中で前記特定認証デバイスが操作者により前記認証部から離されても入出庫扉の状態を停止せず開放状態になるまで変化させる様にしたので、操作者が認証デバイスを認証デバイスリーダの認証部から離すのを抑制でき、入出庫扉が開放状態に近い中途半端な状態で停止するのを防止できる。
また、前記特定認証デバイスが前記認証部に置かれており入出庫扉の状態が閉止状態から開放状態への全工程の所定値％以前の途中工程中を変化する途中で操作者により前記特定認証デバイスが前記認証部から離されると入出庫扉の状態を停止した後で閉止状態に戻し、前記特定認証デバイスが前記認証部に置かれており入出庫扉の状態が閉止状態から開放状態への全工程の所定値％以降の途中工程中を変化する途中で操作者により前記特定認証デバイスが前記認証部から離されても入出庫扉の状態を停止せず開放状態になるまで変化させる様にしたので、操作者が認証デバイスを認証デバイスリーダの認証部から離すのを抑制でき、入出庫扉が開放状態に近い中途半端な状態で停止するのを防止できる。
また、前記特定認証デバイスが前記認証部に置かれており入出庫扉の状態が閉止状態から開放状態へ変化する途中で操作者により前記特定認証デバイスが前記認証部から離されると視覚または聴覚の少なくとも一つの感覚に感じさせる手段で操作者に警告する様にしたので、操作者が認証デバイスを認証デバイスリーダの認証部から離すのを抑制できる。
また、前記認証部が前記操作盤面の奥行き方向に延び奥に遷移するに従って下方に傾斜する面状の部分である様にしたので、認証デバイスリーダの認証部に置かれた認証デバイスが認証部から滑り落ちるのを抑制できる。
また、入出庫扉の状態が開放状態であるときに操作者により前記扉閉釦を操作されると入出庫扉の状態を開放状態から閉止状態の方に変化させ、入出庫扉の状態が開放状態であるときに操作者により前記扉閉釦を押されないと入出庫扉の状態を開放状態から変化させない様にしたので、扉閉処理時に操作者の操作により入出庫扉を閉じる。
また、入出庫扉の状態が開放状態であるときに操作者により前記特定認証デバイスが前記認証部に置かれて且つ操作者により前記扉閉釦を操作されると入出庫扉の状態を開放状態から閉止状態の方に変化させ、入出庫扉の状態が開放状態であるときに前記特定認証デバイスが前記認証部に置かれていないと入出庫扉の状態を開放状態から変化させない様にしたので、扉閉処理時に操作者が認証デバイスを認証デバイスリーダの認証部から離すのを抑制できる。
また、前記特定認証デバイスが認証部に置かれており入出庫扉の状態が開放状態であるときに操作者により前記特定認証デバイスが前記認証部から離されてから所定時間内に操作者により前記扉閉釦を操作されると入出庫扉の状態を開放状態から閉止状態の方に変化させ、前記特定認証デバイスが認証部に置かれており入出庫扉の状態が開放状態であるときに前記特定認証デバイスが操作者により前記認証部から離されてから所定時間を越えると入出庫扉の状態を開放状態から変化させない様にしたので、扉閉処理時に操作者が認証デバイスを認証デバイスリーダの認証部から離しても扉を閉めることができる。
また、前記特定認証デバイスが前記認証部に置かれており入出庫扉の状態が開放状態から閉止状態への変化する途中で操作者により前記特定認証デバイスが前記認証部から離されても入出庫扉の状態を停止せず閉止状態に変化させる様にしたので、入出庫扉が閉じ始めると操作者の操作にかかわらず閉止状態になる。
また、前記特定認証デバイスが前記認証部に置かれており入出庫扉の状態が開放状態から閉止状態への変化する途中で操作者により前記特定認証デバイスが前記認証部から離されると入出庫扉を停止させる様にしたので、操作者が認証デバイスを認証デバイスリーダの認証部から離すのを抑制でき、入出庫扉が閉止状態になるまで操作者を操作盤面に引き止めることができる。
また、前記特定認証デバイスが前記認証部に置かれており入出庫扉の状態が開放状態から閉止状態への全工程の所定値％以前の途中工程中を変化する途中で操作者により前記特定認証デバイスが前記認証部から離されると入出庫扉を停止させ、前記特定認証デバイスが前記認証部に置かれており入出庫扉の状態が開放状態から閉止状態への全工程の所定値％以降の途中工程中を変化する途中で操作者により前記特定認証デバイスが前記認証部から離されても入出庫扉の状態を停止せず閉止状態まで変化させる様にしたので、操作者が認証デバイスを認証デバイスリーダの認証部から離すのを抑制でき、入出庫扉が閉止状態になるまで操作者を操作盤面に引き止めることができ、且つ入出庫扉が閉止状態に近い中途半端な状態で停止するのを防止できる。
また、前記特定認証デバイスが前記認証部に置かれており入出庫扉の状態が開放状態から閉止状態へ変化する途中で操作者により前記特定認証デバイスが前記認証部から離されると入出庫扉の状態を停止した後で開放状態に戻す様にしたので、操作者が認証デバイスを認証デバイスリーダの認証部から離すのを抑制でき、入出庫扉が閉止状態になるまで操作者を操作盤面に引き止めることができる。
また、前記特定認証デバイスが前記認証部に置かれており入出庫扉の状態が開放状態から閉止状態への全工程の所定値％以前の途中工程中を変化する途中で操作者により前記特定認証デバイスが前記認証部から離されると入出庫扉の状態を停止した後で開放状態に戻し、前記特定認証デバイスが前記認証部に置かれており入出庫扉の状態が開放状態から閉止状態への全工程の所定値％以降の途中工程中を変化する途中で操作者により前記特定認証デバイスが前記認証部から離されても入出庫扉の状態を停止せず閉止状態まで変化させる様にしたので、操作者が認証デバイスを認証デバイスリーダの認証部から離すのを抑制でき、入出庫扉が閉止状態になるまで操作者を操作盤面に引き止めることができ、且つ入出庫扉が閉止状態に近い中途半端な状態で停止するのを防止できる。
【００３４】
以上説明したように、本発明に係る駐車装置の制御方法は、その構成により、以下の効果を有する。
操作盤面に呼釦と認証デバイスリーダとを準備し、入出庫扉の状態が閉止状態であるときに入出庫を要求する操作者のもつ特定認証デバイスが操作者により前記認証部に置かれて且つ操作者により前記呼釦を操作されると入出庫扉の状態を閉止状態から開放状態の方に変化させ、入出庫扉の状態が閉止状態であるときに認証デバイスが前記認証部に置かれていないと入出庫扉の状態を閉止状態から変化させない様にしたので、操作者が認証デバイスを認証デバイスリーダの認証部に置くように誘導できる。
また、前記特定認証デバイスが前記認証部に置かれており入出庫扉の状態が閉止状態から開放状態への変化する途中で前記特定認証デバイスが操作者により前記認証部から離されると入出庫扉の状態を中途停止状態にする様にしたので、操作者が認証デバイスを認証デバイスリーダの認証部から離すのを抑制できる。
また、前記操作者判定処理を実施した後で、前記特定認証デバイスが前記認証部に置かれて且つ前記操作者判定処理が前記第一認証処理で認証した操作者と前記第二認証処理で認証した操作者とが同一であると判断するとき前記扉閉処理を実施し、前前記特定認証デバイスが前記認証部に置かれていないとき前記扉閉処理を実施しない様にしたので、異なる操作者が扉閉処理をするのを防止できる。
従って、入出庫作業をおこなう者が入出庫扉を開き、また閉じる様に誘導できる駐車装置の制御機器と駐車装置の制御方法とを提供する。
【図面の簡単な説明】
【００３５】
【図１】本発明の実施形態に係る駐車装置の入出庫空間の概念図である。
【図２】本発明の実施形態に係る駐車装置の入出庫処理の概念図である。
【図３】本発明の実施形態に係る駐車装置の制御機器の概念図その１である。
【図４】本発明の実施形態に係る駐車装置の制御機器の概念図その２である。
【図５】本発明の第一の実施形態に係る駐車装置の処理フロー図である。
【図６】本発明の第二の実施形態に係る駐車装置の処理フロー図である。
【図７】本発明の第二の実施形態にかかる入庫の作用説明図である。
【図８】本発明の第二の実施形態にかかる出庫の作用説明図である。
【図９】本発明の第三の実施形態に係る駐車装置の処理フロー図である。
【図１０】本発明の第三の実施形態にかかる入庫の作用説明図である。
【図１１】本発明の第三の実施形態にかかる出庫の作用説明図である。
【発明を実施するための形態】
【００３６】
以下、本発明を実施するための形態を、図面を参照して説明する。
【００３７】
本発明の実施形態にかかる駐車装置の制御機器を、図を基に、説明する。
図１は、本発明の実施形態に係る駐車装置の入出庫空間の概念図である。図２は、本発明の実施形態に係る駐車装置の入出庫処理の概念図である。図３は、本発明の実施形態に係る駐車装置の制御機器の概念図その１である。図４は、本発明の実施形態に係る駐車装置の制御機器の概念図その２である。
【００３８】
本発明の実施形態にかかる駐車装置は、操作者に対応する車両を駐車させる装置である。
本発明の実施形態にかかる駐車装置は、複数の操作者に各々に対応する複数の車両を各々に駐車させる装置であってもよい。
【００３９】
本発明の実施形態にかかる駐車装置の制御方法は、操作者に対応する車両を入出庫扉を設けられる入出庫空間に入出庫させて駐車させる方法である。
本発明の実施形態にかかる駐車装置の制御方法は、複数の操作者に各々に対応する複数の車両を入出庫扉を設けられる入出庫空間に入出庫させて各々に駐車させる方法であってもよい。
【００４０】
本発明の実施形態にかかる駐車装置は、駐車機構１００と制御機器２００とで構成される。
駐車装置は、認証デバイス７をもつ操作者６に対応する車両５を入出庫扉１３０をくぐって入出庫空間に入出庫させて駐車させる装置である。
例えば、駐車装置は、認証デバイス７を各々にもつ複数の操作者６に各々に対応する車両５を入出庫扉１３０をくぐって入出庫空間に入出庫させて各々に駐車させる装置である。
ここで、認証デバイスは、認証コードを記憶し、外部と通信できるデバイスである。
認証デバイスは、認証コードを記憶し、外部と無線通信できるカード型のデバイスであってもよい。
例えば、認証デバイスは認証機能を持つカードである。
例えば、認証デバイスは認証機能を持つキーである。
車両５を入庫させるとき、入出庫空間１２０は、ドライバが車両５を入れて、乗り捨てる空間である。
車両５を出庫させるとき、入出庫空間１２０は、ドライバが車両に乗り込む空間である。運転手が入出庫空間１２０に位置する車両に乗った後で、車両は入出庫空間１２０から外へでる。例えば、運転手が入出庫空間１２０に位置する車両に乗った後で、車両は運転手に運転されて入出庫空間１２０から外へでる。
入出庫扉１３０は、入出庫空間１２０と外部空間との境をしきる開閉可能な扉である。
入出庫扉１３０の姿勢は、停止状態と開放状態との間で変化できる。
閉止状態は、車両が通過不能な姿勢で停止している入出庫扉の状態である。
例えば、閉止状態は入出庫扉１３０の下端が入出庫口の下端に位置する姿勢である。
図１（Ａ）は、入出庫扉１３０の状態が閉止状態にある様子を示す。
開放状態は、車両が通過可能な姿勢で停止している入出庫扉の状態である。
例えば、閉止状態は入出庫扉１３０の下端が入出庫口の上端に位置する姿勢である。
図１（Ｂ）は、入出庫扉１３０の姿勢が開放状態である様子を示す。
中途停止状態は、入出庫扉の閉止状態と開放状態との間で変化する途中で停止している入出庫扉の状態である。
【００４１】
駐車機構１００は、車両を駐車空間と入出庫空間１２０との間で搬送できる機構である。
駐車機構１００は、車両をパレットに乗せて駐車空間と入出庫空間１２０との間で搬送できてもよい。
通常操作では、駐車機構１００は、入出庫空間の安全が確認されて入出庫扉１３０が閉じているときにのみ、車両を駐車空間と入出庫空間１２０との間で搬送できる。
【００４２】
制御機器２００は、駐車機構１００を制御する機器である。
制御機器２００は、駐車機構１００を入庫モードまたは出庫モードで制御する。
入庫モードは、制御機器２００が車両を駐車装置に入庫させるモードである。
出庫モードは、制御機器２００が車両を駐車装置から出庫させるモードである。
制御機器２００は、操作盤面２１０と呼釦２２０と認証デバイスリーダ２３０とで構成される。
制御機器２００は、操作盤面２１０と呼釦２２０と認証デバイスリーダ２３０と扉閉釦２４０とで構成されてもよい。
制御機器２００は、操作盤面２１０と呼釦２２０と認証デバイスリーダ２３０と扉閉釦２４０とカード取出ランプ２５０とカード認識ランプ２６０とで構成されてもよい。
制御機器２００は、操作盤面２１０と呼釦２２０と認証デバイスリーダ２３０と扉閉釦２４０とカード取出ランプ２５０とカード認識ランプ２６０と暗証テンキー２８０とで構成されてもよい。
認証デバイスリーダ２３０は、カード形式の認証デバイスと通信可能なリーダであってもよい。
認証デバイスリーダ２３０は、キー形式の認証デバイスと通信可能なリーダであってもよい。
図４（Ｂ）は、暗証テンキー２８０が操作盤面に設けられる様子を示す。
制御機器２００は、操作盤面２１０と呼釦２２０と認証デバイスリーダ２３０と扉閉釦２４０とカード取出ランプ２５０とカード認識ランプ２６０と生体認証パッド２９０とで構成されてもよい。
図４（Ｃ）は、生体認証パッド２９０が操作盤面２１０に設けられる様子を示す。
【００４３】
操作盤面２１０は、操作者が操作する盤面である。
操作盤面２１０は入出庫空間１２０の外側の入出庫扉１３０の近傍に設けられてもよい。
呼釦２２０は、操作盤面に設けられ操作されると操作者に対応する車両の入出庫を要求することとなる手動操作器である。
ここで、手動操作器は、操作者の手で操作される器具である。
例えば、呼釦２２０は、操作盤面に設けられ押されると操作者に対応する車両の入出庫を要求することとなる手動操作器である。
入庫モードでは、操作者が呼釦２２０を操作すると、操作者に対応する車両の入庫を要求することとなる。
出庫モードでは、操作者が呼釦２２０を操作すると、操作者に対応する車両の出庫を要求することとなる。
認証デバイスリーダ２３０は、操作盤面２３１に設けられ、操作者により認証デバイス７を置かれると認証デバイス７を認証可能な状態になる部分である認証部Ｓをもつ。
認証デバイスが認証部に置かれると、認証部２３１は認証デバイス７を認証して認証コードを受信できる。
扉閉釦２４０は、操作盤面２１０に設けられ、操作されると入出庫扉１３０を開放状態から閉止状態に変化させることを要求することとなる手動操作器である。
例えば、扉閉釦２４０は、操作盤面２１０に設けられ、押されると入出庫扉１３０を開放状態から閉止状態に変化させることを要求することとなる釦である。
カード取出ランプ２５０は、認証デバイス７を認証部２３１から離しても制御上特段の問題が生じない状態になると点灯するランプである。
カード認識ランプ２６０は、認証デバイスリーダ２３０が認証デバイス７を認証可能な状態であると検知したとき点灯するランプである。
操作モニタ２７０は、操作のための表示をするモニタである。操作モニタ２７０は、タッチパネル機能を持っていてもよい。
暗証テンキー２８０は、認証コードを入力するテンキーである。
生体認証パッド２９０は、生体認証をするパッドである。
ドライバまたは操作者が制御機器２００の操作盤面２１０を操作するときに、ドライバは開いた入出庫扉１３０から入出庫空間１２０の内部の安全を確認できる。
手動操作器は、手動で操作される器具であり、押しボタン、スイッチ、スライダー、その他である。
手動操作器は、実体のあるものでも、仮想のものでもよい。
例えば、手動操作器は、タッチパネルに表示されたものでもい。
【００４４】
認証デバイス７が認証デバイスリーダ２３０の認証部２３１に置かれると、認証デバイスリーダ２３０は認証デバイス７がおかれることを検知できる。
認証デバイス７が認証デバイスリーダ２３０の認証部２３１から離されると、認証デバイスリーダ２３０は認証デバイス７が離されたことを検知できる。
例えば、認証デバイスリーダ２３０は認証デバイスの在席を検知できる検知センサをもっている。
認証デバイス７が認証デバイスリーダ２３０の認証部２３１に置かれると、認証デバイスリーダ２３０は、認証デバイス７を認証できる。
認証デバイス７が認証デバイスリーダ２３０の認証部２３１に置かれると、認証デバイスリーダ２３０は、認証デバイス７を認証でき、認証デバイス７に記録された認証コードを読み取ることができる。
例えば、認証デバイスリーダ２３０が認証デバイスを認証できるとき、認証デバイス７が認証部２３１に置かれていると判断する。
例えば、認証デバイスリーダ２３０が認証デバイスを認証できないとき、認証デバイス７が認証部２３１に離されたと判断する。
【００４５】
認証部２３１が操作盤面２１０の奥行き方向に延びる面状の部分であってもよい。
認証部２３１が操作盤面２１０の奥行き方向に延びる上に向いた面状の部分であってもよい。
認証部２３１が操作盤面２１０の奥行き方向に延び奥に遷移するに従って下方に傾斜する面状の部分であってもよい。
認証部２３１が操作盤面２１０の奥行き方向に延び奥に遷移するに従って下方に傾斜する上に向いた面状の部分であってもよい。
この様にすると、カード形状の認証デバイスが認証部２３１から滑り落ちるのを防止できる。
【００４６】
以下に、本発明の実施形態に係る駐車装置の制御機器とその制御方法を、図を基に、説明する。
【００４７】
最初に、本発明の第一の実施形態に係る駐車装置の制御機器を、図を基に、説明する。
図５は、本発明の第一の実施形態に係る駐車装置の処理フロー図である。
【００４８】
本発明の第一の実施形態に係る駐車装置の制御機器２００は、認証デバイス発行処理Ｓ１０と認証デバイス待ち処理Ｓ３０と呼釦待ち処理Ｓ６０と呼出処理Ｓ７０と扉開処理Ｓ８０と無人確認釦待ち処理Ｓ９０と扉閉釦待ち処理Ｓ１１０と扉閉処理Ｓ１４０と車両搬送処理Ｓ１５０とを実行する。
認証デバイス発行処理Ｓ１０を実施する。
入出庫する車両に対応して、認証デバイス待ち処理Ｓ３０と呼釦待ち処理Ｓ６０と呼出処理Ｓ７０と扉開処理Ｓ８０と無人確認釦待ち処理Ｓ９０と扉閉釦待ち処理Ｓ１１０と扉閉処理Ｓ１４０と車両搬送処理Ｓ１５０とを、その順に実行する。
【００４９】
認証デバイス発行処理Ｓ１０は、認証デバイスを発行する処理である。
発行された認証デバイスは、認証コードを記録される。
発行された認証デバイスは、駐車装置に対応する認証コードを記録されてもよい。
【００５０】
認証デバイス待ち処理Ｓ３０は、認証デバイス７が認証デバイスリーダ２３０の認証部２３１に置かれるのを検知するのを待つ処理である。
例えば、認証デバイス待ち処理Ｓ３０は、認証デバイス７が認証デバイスリーダ２３０の認証部２３１に置かれるのを検知する在席センサの在席信号を待つ処理である。
例えば、認証デバイス待ち処理Ｓ３０は、認証デバイス７が認証デバイスリーダ２３０の認証部２３１に置かれて認証可能になるのを待つ処理である。
認証デバイス待ち処理Ｓ３０で認証デバイス７が認証デバイスリーダ２３０の認証部２３１に置かれたこと検知すると、次の処理に進む。
【００５１】
呼釦待ち処理Ｓ６０は、呼釦２２０が操作されるのを待つ処理である。
例えば、呼釦待ち処理Ｓ６０は、呼釦２２０が押されるのを待つ処理である。
呼釦２２０が操作されるのを検知すると、次の処理に進む。
【００５２】
呼出処理Ｓ７０は、入出庫空間を入出庫可能な状態にする処理である。
駐車機構１００が車両５をパレットに乗せる形式であるばあい、入庫モードでは、呼出処理Ｓ７０は、空パレットを入出庫空間に置いて入出庫空間を入庫可能な状態にする。
駐車機構１００が車両５をパレットに乗せる形式であるばあい、出庫モードでは、出庫する車両の乗るパレットを入出庫空間に置いて入出庫空間を出庫可能な状態にする。
呼出処理Ｓ７０が完了すると次の処理にすすむ。
【００５３】
扉開処理Ｓ８０は、入出庫扉１３０の状態を閉止状態から開放状態に変化させる処理である。
後段で、扉開処理の詳述する。
扉開処理Ｓ８０が完了すると次の処理に進む。
例えば、扉開処理Ｓ８０が完了すると、入庫モードではドライバーが自動車を入出庫空間に入れて、ドライバが入出庫空間から出た後で、次の処理に進む。
例えば、扉開処理Ｓ８０が完了すると、出庫モードではドライバーが入出庫空間に入り、自動車に乗り込み、ドライバを乗せた車両が入出庫空間から出た後で、次の処理に進む。
【００５４】
無人確認釦待ち処理Ｓ９０は、無人確認釦が操作されるのを待つ処理である。
例えば、無人確認釦待ち処理Ｓ９０は、無人確認釦が押されるのを待つ処理である。
例えば、無人確認釦は、操作モニタ２７０に設けられる。
操作盤面２３１がドライバ６に入出庫空間１２０が無人であることを確認する様に促す。
扉開処理が終了するとドライバ６が車両５の入出庫作業を行う。
例えば、ドライバ６が、車両５の入出庫作業を行った後で入出庫空間１２０から出て、入出庫空間１２０が無人であることを確認すると、無人確認釦を押す。
無人確認釦が押されるの検知すると、次の処理に進む。
【００５５】
扉閉釦待ち処理Ｓ１１０は、扉閉釦２４０が押されるのを待つ処理である。
操作盤面２３１がドライバ６に扉閉釦２４０を押すことを促す。
扉閉釦２４０が押されるのを検知すると、次の処理に進む。
【００５６】
扉閉処理Ｓ１４０は、入出庫扉１３０の状態を開放状態から閉止状態に変化させる処理である。
後段で、扉閉処理Ｓ１４０を詳述する。
扉閉処理Ｓ１４０が完了すると、次に処理に進む。
【００５７】
車両搬送処理Ｓ１５０は、車両を入出庫空間１２０から駐車空間に搬送する処理である。
例えば、車両搬送処理Ｓ１５０は、入庫した車両を入出庫空間１２０から駐車空間に搬送する。
駐車機構が車両をパレットに乗せる形式である場合、入庫モードにおいて、入庫した車両５を乗せたパレットを入出庫空間１２０から駐車空間に搬送する。
【００５８】
以下に、本発明の第一の実施形態にかかる扉開処理Ｓ８０を詳述する。
ここで、操作者は車両の運転手、駐車装置の専従オペレータ、その他である。
説明の便宜上、入出庫を要求している操作者のもつ特定の認証デバイスを特定認証デバイスと呼称する。
【００５９】
入出庫扉１３０の状態が閉止状態であるときに特定認証デバイスが認証部２３１に置かれていることを検知し且つ呼釦２２０を押されると、入出庫扉１３０の状態を閉止状態から開放状態の方に変化させる。
入出庫扉１３０の状態が閉止状態であるときに特定認証デバイスが認証部２３１に置かれていることを検知し且つ呼釦２２０を押されると、呼出処理Ｓ７０を実行した後で、入出庫扉１３０の状態を閉止状態から開放状態の方に変化させてもよい。
入出庫扉１３０の状態が閉止状態であるときに認証デバイス７が認証部２３１に置かれていないことを検知したとき、呼釦を押されても、入出庫扉１３０の状態を閉止状態から変化させない。
入出庫扉１３０の状態が閉止状態であるときに認証デバイス７が認証部２３１に置かれていないことを検知したとき、呼釦を押されても、呼出処理Ｓ７０を実行せずに、入出庫扉１３０の状態を閉止状態から変化させない様にしてもよい。
【００６０】
例えば、入出庫扉１３０の状態が閉止状態であるときに特定認証デバイスが認証部２３１に置かれて認証可能な状態であることを検知し且つ呼釦２２０を押されると、呼出処理Ｓ７０を実行した後で、入出庫扉１３０の状態を閉止状態から開放状態の方に変化させる。
入出庫扉１３０の状態が閉止状態であるときに認証デバイス７が認証部２３１に置かれておらず認証不能な状態であることを検知したとき、呼釦２２０を押されても、呼出処理Ｓ７０を実行せずに、入出庫扉１３０の状態を閉止状態から変化させない。
この様にすると、認証デバイスが認証部２３１に置かれていないと閉止状態から開放状態にうごかない様にすることができる。
【００６１】
特定認証デバイスが認証部２３１に置かれていることを検知しており入出庫扉１３０の状態が閉止状態から開放状態への変化する途中で特定認証デバイスが認証部２３１から離されることを検知すると、入出庫扉１３０の状態を中途停止状態にする様にしてもよい。
【００６２】
例えば、特定認証デバイスが認証部２３１に置かれており認証可能な状態であることを検知しており入出庫扉１３０の状態が閉止状態から開放状態への変化する途中で特定認証デバイスが認証部１３２から離されて認証不能の状態であることを検知すると、入出庫扉１３０の状態を中途停止状態にする。
この様にすると、入出庫扉１３０の状態が閉止状態から開放状態に変化する途中に認証デバイス７が認証部２３１から離されると、入出庫扉２３１が中途停止する様にすることができる。
【００６３】
入出庫扉１３０の状態が中途停止状態であるときに特定認証デバイスが認証部２３１に置かれることを検知すると、入出庫扉１３０の状態を中途停止状態から開放状態の方に変化させ、
入出庫扉１３０の状態が中途停止状態であるときに特定認証デバイスが認証部２３１に置かれていないことを検知すると、入出庫扉１３０の状態を中途停止状態から変化させない様にしてもよい。
【００６４】
例えば、入出庫扉１３０の状態が中途停止状態であるときに特定認証デバイスが認証部２３１に置かれて認証可能な状態であることを検知すると、入出庫扉１３０の状態を中途停止状態から開放状態の方に変化させる。
入出庫扉１３０の状態が中途停止状態であるときに特定認証デバイスが認証部２３１に置かれておらず認証不能であることを検知すると、入出庫扉１３０の状態を中途停止状態から変化させない。
例えば、入出庫扉１３０の状態が中途停止状態であるときに特定認証デバイス以外の認証デバイスが認証部２３１に置かれることを検知すると、入出庫扉１３０の状態を中途停止状態から変化させない。
この様にすると、特定認証デバイス７が認証部２３１から離されて入出庫扉１３０の状態が中途停止状態のとき、特定認証デバイス７を認証部２３１に置くと入出庫扉１３０の状態が開放状態に向かう様にすることができる。
【００６５】
入出庫扉１３０の状態が中途停止状態であるときに特定認証デバイスが認証部２３１に置かれていることを検知し且つ呼釦２２０を押されると入出庫扉１３０の状態を中途停止状態から開放状態の方に変化させ、入出庫扉１３０の状態が中途停止状態であるときに特定認証デバイスが認証部２３１に置かれていないことを検知すると、入出庫扉の状態を中途停止状態から変化させない様にしてもよい。
【００６６】
例えば、入出庫扉１３０の状態が中途停止状態であるときに特定認証デバイスが認証部２３１に置かれて認証可能な状態であることを検知し且つ呼釦２２０を押されると入出庫扉１３０の状態を中途停止状態から開放状態の方に変化させる。
入出庫扉１３０の状態が中途停止状態であるときに特定認証デバイスが認証部２３１に置かれておらず認証不能であることを検知すると、入出庫扉の状態を中途停止状態から変化させない。
例えば、入出庫扉１３０の状態が中途停止状態であるときに特定認証デバイス以外の認証デバイスが認証部２３１に置かれていることを検知した状態で且つ呼釦２２０を押されても、入出庫扉の状態を中途停止状態から変化させない。
この様にすると、入出庫扉１３０の状態が中途停止状態のとき認証デバイス７を認証部２３１に置き再度呼釦２２０を押すと入出庫扉１３０の状態が開放状態に変化する様にすることができる。
【００６７】
特定認証デバイスが認証部２３１に置かれていることを検知しており入出庫扉１３０の状態が閉止状態から開放状態への変化する途中で特定認証デバイスが認証部２３１から離されることを検知したとき、入出庫扉１３０の状態を閉止状態に戻す様にしてもよい。
【００６８】
例えば、特定認証デバイスが認証部２３１に置かれており認証可能な状態であることを検知しており入出庫扉１３０の状態が閉止状態から開放状態への変化する途中で特定認証デバイスが認証部２３１から離されて認証不能の状態であることを検知したとき、入出庫扉１３０の状態を閉止状態に戻す。
この様にすると、入出庫扉１３０の状態が閉止状態から開放状態に移動中に特定認証デバイス７が認証部２３１から離されると入出庫空間の状態を閉止状態に戻す様にすることができる。
【００６９】
特定認証デバイスが認証部２３１に置かれてあることを検知しており入出庫扉１３０の状態が閉止状態から開放状態への全工程の所定値％以前の途中工程中を変化する途中で特定認証デバイスが認証部２３１から離されることを検知すると入出庫扉１３０の状態を中途停止状態にし、
特定認証デバイスが認証部２３１に置かれていることを検知しており入出庫扉１３０の状態が閉止状態から開放状態への全工程の所定値％以降の途中工程中を変化する途中で特定認証デバイスが認証部２３１から離されることを検知しても入出庫扉１３０の状態を停止せず開放状態になるまで変化させる様にしてもよい。
ここで、所定値は予め設定される値であってもよい。以下、同じである。
【００７０】
例えば、特定認証デバイスが認証部２３１に置かれており認証可能な状態であることを検知しており入出庫扉１３０の状態が閉止状態から開放状態への全工程の所定値％以前の途中工程中を変化する途中で特定認証デバイスが認証部２３１から離されて認証不能の状態であることを検知すると、入出庫扉１３０の状態を中途停止状態にする。
特定認証デバイスが認証部２３１に置かれおり認証可能な状態であることを検知しており入出庫扉１３０の状態が閉止状態から開放状態への全工程の所定値％以降の途中工程中を変化する途中で特定認証デバイスが認証部２３１から離されて認証不能状態であることを検知しても、入出庫扉１３０の状態を停止せず開放状態になるまで変化させる。
この様にすると、入出庫扉１３０の状態が閉止状態から開放状態に移動する途中に認証デバイス７が認証部２３１から離されると中途停止状態になり、移動する途中を所定値％を越えたときに認証デバイス７が認証部２３１から離されてもそのまま開放状態になる様にすることができる。
【００７１】
特定認証デバイスが認証部２３１に置かれていることを検知しており入出庫扉１３０の状態が閉止状態から開放状態への全工程の所定値％以前の途中工程中を変化する途中で特定認証デバイスが認証部２３１から離されることを検知すると入出庫扉１３０の状態を停止した後で閉止状態に戻し、
特定認証デバイスが認証部２３１に置かれていることを検知しており入出庫扉１３０の状態が閉止状態から開放状態への全工程の所定値％以降の途中工程中を変化する途中で特定認証デバイスが認証部２３１から離されることを検知しても入出庫扉１３０の状態を停止せず開放状態になるまで変化させる様にしてもよい。
【００７２】
例えば、特定認証デバイスが認証部２３１に置かれており認証可能な状態であることを検知しており入出庫扉１３０の状態が閉止状態から開放状態への全工程の所定値％以前の途中工程中を変化する途中で特定認証デバイスが認証部２３１から離されて認証不能の状態であることを検知する、入出庫扉１３０の状態を停止した後で閉止状態に戻す。
特定認証デバイスが認証部２３１に置かれており認証可能な状態であることを検知しており入出庫扉１３０の状態が閉止状態から開放状態への全工程の所定値％以降の途中工程中を変化する途中で特定認証デバイスが認証部２３１から離されて認証不能の状態になっていることを検知しても、入出庫扉１３０の状態を停止せず開放状態になるまで変化させる。
この様にすると、入出庫扉１３０の状態が閉止状態から開放状態に移動する途中に認証デバイス７が認証部２３１から離されると停止して閉止状態に戻り、移動する途中を所定値％を越えたときに認証デバイス７が認証部２３１から離されてもそのまま開放状態になる様にすることができる。
【００７３】
特定認証デバイスが認証部２３１に置かれていることを検知しており入出庫扉１３０の状態が閉止状態から開放状態へ変化する途中で特定認証デバイスが認証部２３１から離されることを検知すると視覚または聴覚の少なくとも一つの感覚に感じさせる手段で操作者に警告してもよい。
【００７４】
例えば、特定認証デバイスが認証部２３１に置かれており認証可能な状態であることを検知しており入出庫扉１３０の状態が閉止状態から開放状態へ変化する途中で特定認証デバイスが認証部２３１から離されて認証不能の状態であることを検知すると視覚または聴覚の少なくとも一つの感覚に感じさせる手段で操作者に警告する。
例えば、モニタ画面に警告メッセージを表示する。
例えば、警告音を発生する。
例えば、警告メッセージを発音する。
例えば、警告用の照明を点灯する。
例えば、警告用の照明を点滅する。
この様にすると、入出庫扉１２０の状態が閉止状態から開放状態に変化中に認証デバイスを取ると操作者に警告する様にすることができる。
【００７５】
以下に、本発明の第一の実施形態にかかる扉閉処理Ｓ１４０を詳述する。
【００７６】
扉閉処理Ｓ１４０は、入出庫扉１３０の状態が開放状態であるときに扉閉釦２４０を押されると入出庫扉１３０の状態を開放状態から閉止状態の方に変化させ、
入出庫扉１３０の状態が開放状態であるときに扉開釦２４０を押されないと入出庫扉１３０の状態を開放状態から変化させない様にする。
【００７７】
入出庫扉の状態が開放状態であるときに特定認証デバイスが認証部２３１に置かれていることを検知し且つ扉閉釦２４０を押されると入出庫扉１３０の状態を開放状態から閉止状態の方に変化させ、
入出庫扉１３０の状態が開放状態であるときに特定認証デバイスが認証部２３１に置かれていないことを検知したときに入出庫扉１３０の状態を開放状態から変化させない様にしてもよい。
【００７８】
例えば、入出庫扉１３０の状態が開放状態であるときに特定認証デバイスが認証部２３１に置かれて認証可能な状態であることを検知し且つ扉閉釦２４０を押されると入出庫扉１３０の状態を開放状態から閉止状態の方に変化させる。
入出庫扉１３０の状態が開放状態であるときに特定認証デバイスが認証部２３１に置かれておらず認証不能な状態であることを検知したときに、入出庫扉１３０の状態を開放状態から変化させない。
例えば、入出庫扉１３０の状態が開放状態であるときに特定認証デバイスが認証部２３１に置かれておらず認証不能な状態であることを検知したときに、扉開釦２４０を押されても、入出庫扉１３０の状態を開放状態から変化させない。
この様にすると、認証デバイス７が認証部２３１に置かれていないと扉開釦２４０を押されても入出庫扉１３０の状態が開放状態から閉止状態に変化しない様にすることができる。
【００７９】
第二認証処理Ｓ１２０と操作者判定処理Ｓ１３０とを実施した後で、特定認証デバイスが認証部２３１に置かれいることを検知し且つ操作者判定処理Ｓ１３０が特定認証コードと第二認証処理Ｓ１２０で認証した操作者とが関連づけられていると判断するとき扉閉処理Ｓ１４０の実施を許し、
第二認証処理Ｓ１２０と操作者判定処理Ｓ１３０とを実施した後で、特定認証デバイスが認証部２３１に置かれていないことを検知したとき、扉閉処理Ｓ１４０の実施を許さない。
【００８０】
例えば、第二認証処理Ｓ１２０と操作者判定処理Ｓ１３０とを実施した後で、特定認証デバイスが認証部２３１に置かれていることを検知し且つ操作者判定処理Ｓ１３０が特定認証コードと第二認証処理Ｓ１２０で認証した操作者とが関連づけられていると判断するとき、扉閉釦２４０を押されると入出庫扉１３０の状態を開放状態から閉止状態の方に変化させる。
第二認証処理Ｓ１２０と操作者判定処理Ｓ１３０とを実施した後で、特定認証デバイスが認証部２３１に置かれていないことを検知したとき、扉開釦２４０を押されても入出庫扉１３０の状態を開放状態から変化させない。
【００８１】
例えば、第二認証処理Ｓ１２０と操作者判定処理Ｓ１３０とを実施した後で、特定認証デバイスが認証部２３１に置かれて認証可能な状態であることを検知し且つ操作者判定処理Ｓ１３０が特定認証コードと第二認証処理Ｓ１２０で認証した操作者とが関連づけられていると判断するとき、扉閉釦２４０を押されると入出庫扉１３０の状態を開放状態から閉止状態の方に変化させる。
第二認証処理Ｓ１２０と操作者判定処理Ｓ１３０とを実施した後で、特定認証デバイスが認証部２３１に置かれておらず認証可能な状態でないことを検知したとき、扉開釦２４０を押されても、入出庫扉の状態を開放状態から変化させない。
この様にすると、特定認証デバイスが認証部２３１に置かれて特定認証コードと第二認証処理Ｓ１２０で認証した操作者とが関連づけられているとき、扉閉釦２４０を押されると入出庫扉１３０の状態を開放状態から閉止状態の方に変化させる様にすることができる。
【００８２】
特定認証デバイスが認証部２３１に置かれていることを検知しており入出庫扉１３０の状態が開放状態であるときに特定認証デバイスが認証部２３１から離されることを検知してから所定時間内に扉閉釦２４０を押されると入出庫扉１３０の状態を開放状態から閉止状態の方に変化させ、
特定認証デバイスが認証部２３１に置かれていることを検知しており入出庫扉１３９の状態が開放状態であるときに特定認証デバイスが認証部から離されることを検知してから所定時間を越えると扉開釦２４０を押されても入出庫扉１３０の状態を開放状態から変化させない様にしてもよい。
ここで、所定時間は予め設定される時間であってもよい。以下、同じ。
【００８３】
例えば、特定認証デバイスが認証部２３１に置かれており認証可能な状態であることを検知しており入出庫扉１３０の状態が開放状態であるときに特定認証デバイスが認証部２３１から離されることを検知してから所定時間内に扉閉釦２４０を押されると入出庫扉１３０の状態を開放状態から閉止状態の方に変化させる。
特定認証デバイスが認証部２３１に置かれており認証可能な状態であることを検知して入出庫扉１３０の状態が開放状態であるときに特定認証デバイスが認証部２３１から離されることを検知してから所定時間を越えるとき、扉閉釦２４０を押されても入出庫扉１３０の状態を開放状態から変化させない。
この様にすると、認証デバイス７が認証部２３１から外れても所定時間内に扉閉釦２４０を押すと入出庫扉１３０の状態が開放状態から閉止状態に変化し、所定時間を越えてから扉閉釦２４０を押しても入出庫扉１３０の状態が開放状態から閉止状態に変化しない様にできる。
【００８４】
特定認証デバイスが認証部２３１に置かれていることを検知しており入出庫扉１３０の状態が開放状態から閉止状態への変化する途中で特定認証デバイスが認証部２３１から離されることを検知しても入出庫扉１３０を停止せず閉止状態に変化させる様にしてもよい。
【００８５】
例えば、特定認証デバイスが認証部２３１に置かれており認証可能な状態であることを検知しており入出庫扉１３０の状態が開放状態から閉止状態への変化する途中で特定認証デバイスが認証部２３１から離されて認証不能の状態になることを検知しても、入出庫扉１３０を停止せず閉止状態に変化させる。
この様にすると、入出庫扉１３０の状態が開放状態から閉止状態に変化中に認証デバイス７を認証部２３１から離されてもそのまま閉止状態に変化する様にできる。
【００８６】
特定認証デバイスが認証部２３１に置かれていることを検知しており入出庫扉１３０の状態が開放状態から閉止状態への変化する途中で特定認証デバイスが認証部２３１から離されることを検知すると入出庫扉を停止させる。
【００８７】
例えば、特定認証デバイスが認証部２３１に置かれており認証可能な状態であることを検知しており入出庫扉１３０の状態が開放状態から閉止状態への変化する途中で特定認証デバイスが認証部２３１から離されて認証不能の状態になることを検知すると、入出庫扉１３０を停止させる。
この様にすると、入出庫扉１３０の状態が開放状態から閉止状態に変化中に認証デバイス７を認証部２３１から離されると入出庫扉１３０が停止する様にできる。
【００８８】
特定認証デバイスが認証部２３１に置かれていることを検知しており入出庫扉１３０の状態が開放状態から閉止状態への全工程の所定値％以前の途中工程中を変化する途中で特定認証デバイスが認証部２３１から離されることを検知すると入出庫扉１３０を停止させ、特定認証デバイスが認証部２３１に置かれてあることを検知しており入出庫扉１３０の状態が開放状態から閉止状態への全工程の所定値％以降の途中工程中を変化する途中で特定認証デバイスが認証部２３１から離されることを検知しても入出庫扉１３０を停止せず閉止状態に変化させる様にしてもよい。
【００８９】
例えば、特定認証デバイスが認証部２３１に置かれており認証可能な状態であることを検知しており入出庫扉１３０の状態が開放状態から閉止状態への全工程の所定値％以前の途中工程中を変化する途中で特定認証デバイスが認証部２３１から離されて認証不能の状態になることを検知すると入出庫扉１３０を停止させる。
特定認証デバイスが認証部２３１に置かれており認証可能な状態であることを検知しており入出庫扉１３０の状態が開放状態から閉止状態への全工程の所定値％以降の途中工程中を変化する途中で特定認証デバイスが認証部２３１から離されて認証不能の状態であることを検知しても入出庫扉１３０を停止せず閉止状態に変化させる。
この様にすると、入出庫扉１３０の状態が開放状態から閉止状態に変化する途中の工程で認証デバイス７を認証部２３１から離すと入出庫扉１３０が停止し、途中を越えた工程で認証デバイス７を認証部２３１から離しても停止せず閉止状態まで変化させる様にすることができる。
【００９０】
特定認証デバイスが認証部２３１に置かれていることを検知しており入出庫扉１３０の状態が開放状態から閉止状態へ変化する途中で特定認証デバイスが認証部２３１から離されることを検知すると入出庫扉１３０の状態を停止した後で開放状態に戻す。
【００９１】
例えば、特定認証デバイスが認証部２３１に置かれており認証可能な状態であることを検知しており入出庫扉１３０の状態が開放状態から閉止状態への変化する途中で特定認証デバイスが認証部２３１から離されて認証不能の状態であることを検知すると、入出庫扉１３０の状態を停止した後で開放状態に戻す。
この様にすると、入出庫扉１３０の状態が開放状態から閉止状態に変化中に認証デバイス７を認証部２３１から離すと入出庫扉２３１が停止して開放状態に戻る様にすることができる。
【００９２】
特定認証デバイスが認証部２３１に置かれていることを検知しており入出庫扉１３０の状態が開放状態から閉止状態への全工程の所定値％以前の途中工程中を変化する途中で特定認証デバイスが認証部２３１から離されることを検知すると入出庫扉１３０の状態を停止した後で開放状態に戻し、特定認証デバイスが認証部２３１に置かれていることを検知しており入出庫扉１３０の状態が開放状態から閉止状態への全工程の所定値％以降の途中工程中を変化する途中で特定認証デバイスが認証部２３１から離されることを検知しても、入出庫扉１３０の状態を閉止状態まで変化させる。
【００９３】
例えば、特定認証デバイスが認証部２３１に置かれており認証可能な状態であることを検知しており入出庫扉１３０の状態が開放状態から閉止状態への全工程の所定値％以前の途中工程中を変化する途中で特定認証デバイスが認証部２３１から離されて認証不能の状態になることを検知すると入出庫扉１３０の状態を停止した後で開放状態に戻す。
特定認証デバイスが認証部２３１に置かれており認証可能な状態であることを検知しており入出庫扉１３０の状態が開放状態から閉止状態への全工程の所定値％以降の途中工程中を変化する途中で特定認証デバイスが認証部２３１から離されて認証不能の状態になることを検知しても入出庫扉１３０の状態を停止せず閉止状態まで変化させる。
この様にすると、入出庫扉１３０の状態が開放状態から閉止状態に変化する途中の工程で認証デバイス７を認証部２３１から離すと入出庫扉１３０が停止して開放状態に戻り、途中を越えた工程で認証デバイス７を認証部２３１から離しても閉止状態まで変化させる様にできる。
【００９４】
次に、本発明の第一の実施形態にかかる駐車装置の制御方法を、説明する。
本発明の第一の実施形態にかかる駐車装置の制御方法は、準備工程と認証デバイス発行工程と認証デバイス待ち工程と呼釦待ち工程と呼出工程と扉開工程と無人確認釦待ち工程と扉閉釦待ち工程と扉閉工程と車両搬送工程で構成される。
【００９５】
準備工程は、駐車機器と制御機器とを準備する工程である。
駐車機器は、車両を入出庫空間と駐車空間との間で搬送し、車両を駐車空間に駐車させる機器である。
制御機器は、駐車機構を制御する機器である。
制御機器は、操作者が操作する盤面である操作盤面と操作盤面に設けられ押されると操作者に対応する車両の入出庫を要求することとなる釦である呼釦と操作盤面に設けられ操作者により認証デバイスを置かれると認証デバイスを認証可能な状態になる部分である認証部をもつ認証デバイスリーダと操作盤面に設けられ押されると入出庫扉を開放状態から閉止状態に変化させることを要求することとなる釦である扉閉釦とを備えてもよい。
【００９６】
認証デバイス発行工程は、認証デバイス発行処理Ｓ１０を実行する工程である。
認証デバイス待ち工程は、認証デバイス待ち処理Ｓ３０を実行する工程である。
呼釦待ち工程は、呼釦待ち処理Ｓ６０を実行する工程である。
呼出工程は、呼出処理Ｓ７０を実行する工程である。
扉開工程は、扉開処理Ｓ８０を実行する工程である。
【００９７】
扉開工程は、入出庫扉１３０の状態が閉止状態であるときに入出庫を要求する操作者のもつ特定の認証デバイスである特定認証デバイスが操作者により認証部に置かれていることを検知し且つ操作者により呼釦を押されると入出庫扉の状態を閉止状態から開放状態の方に変化させ、入出庫扉の状態が閉止状態であるときに認証デバイスが認証部に置かれていないことを検知すると呼出工程を実行せず入出庫扉の状態を閉止状態から変化させない。
扉開工程は、入出庫扉１３０の状態が閉止状態であるときに入出庫を要求する操作者のもつ特定の認証デバイスである特定認証デバイスが操作者により認証部に置かれていることを検知し且つ操作者により呼釦を押されると、呼出工程を実行した後で入出庫扉の状態を閉止状態から開放状態の方に変化させ、入出庫扉の状態が閉止状態であるときに認証デバイスが認証部に置かれていないことを検知すると、呼出工程を実行せず入出庫扉の状態を閉止状態から変化させない様にしてもよい。
【００９８】
例えば、扉開工程は、入出庫扉の状態が閉止状態であるときに入出庫を要求する操作者のもつ特定の認証デバイスである特定認証デバイスが操作者により認証部に置かれて認証可能な状態であることを検知し且つ操作者により呼釦を押されると、呼出工程を実行した後で、入出庫扉の状態を閉止状態から開放状態の方に変化させる。
入出庫扉の状態が閉止状態であるときに認証デバイスが認証部に置かれておらず認証不能な状態であることを検知すると、入出庫工程を実行せずに、入出庫扉の状態を閉止状態から変化させない。
【００９９】
扉開処理の詳細な構成は、第一の実施形態にかかる駐車装置の制御機構で説明したものと同じなので、説明を省略する。
【０１００】
無人確認釦待ち工程は、無人確認釦待ち処理Ｓ９０を実行する工程である。
扉閉釦待ち工程は、扉閉釦待ち処理Ｓ１１０を実行する工程である。
扉閉工程は、扉閉処理Ｓ１４０を実行する工程である。
車両搬送工程は、車両搬送処理Ｓ１５０を実行する工程である。
【０１０１】
扉閉処理の詳細な構成は、第一の実施形態にかかる駐車装置の制御機構で説明したものと同じなので、説明を省略する。
【０１０２】
次に、第二の実施形態にかかる駐車装置の制御機器を、図を基に、説明する。
図６は、本発明の第二の実施形態に係る駐車装置の処理フロー図である。
第二の実施形態にかかる駐車装置の制御機器は、認証した操作者に駐車空間を月貸しする駐車装置を制御する機器である。
【０１０３】
第二の実施形態にかかる駐車装置の制御機器は、入庫要求して入出庫扉１３０を開いたドライバーと車両を入出庫させたドライバーとが同一であると判定したとき入出庫扉１３０を閉じることを許す。
第二の実施形態にかかる駐車装置の制御機器は、操作者の持つ認証デバイスに記録された認証コードをもちいて操作者を認証してもよい。
第二の実施形態にかかる駐車装置の制御機器は、操作者の入力した認証コードをもちいて操作者を認証してもよい。
第二の実施形態にかかる駐車装置の制御機器は、生体認証により操作者を認証してもよい。
生体認証は、操作者の生物的特徴をもちいて認証する方法である。生物的特徴は、指紋、静脈パターン、網膜、音声、その他である。
【０１０４】
操作盤面２１０を操作するドライバを操作者と呼称する。
説明の便宜上、駐車機構が車両をパレットに乗せて取り扱う形式であるとして、説明する。
以下では、制御機器２００の実施する入出庫処理を説明する。
【０１０５】
本発明の第二の実施形態にかかる駐車装置は、操作者に対応する車両を駐車させる装置である。
本発明の第二の実施形態にかかる駐車装置は、複数の操作者に各々に対応する複数の車両を各々に駐車させる装置であってもよい。
【０１０６】
本発明の第二の実施形態にかかる駐車装置の制御方法は、操作者に対応する車両を入出庫扉を設けられる入出庫空間に入出庫させて駐車させる方法である。
本発明の実施形態にかかる駐車装置の制御方法は、複数の操作者に各々に対応する複数の車両を入出庫扉を設けられる入出庫空間に入出庫させて各々に駐車させる方法であってもよい。
【０１０７】
第二の実施形態にかかる駐車装置の制御機器２００は、認証デバイス発行処理Ｓ１０と関連づけ処理Ｓ２０と認証デバイス待ち処理Ｓ３０と第一認証処理Ｓ４０と呼釦待ち処理Ｓ６０と呼出処理Ｓ７０と扉開処理Ｓ８０と無人確認釦待ち処理Ｓ９０と扉閉釦待ち処理Ｓ１１０と第二認証処理Ｓ１２０と操作者判定処理Ｓ１３０と扉閉処理Ｓ１４０とを実行する。
第二の実施形態にかかる駐車装置の制御機器２００は、認証デバイス発行処理Ｓ１０と関連づけ処理Ｓ２０と認証デバイス待ち処理Ｓ３０と第一認証処理Ｓ４０と呼釦待ち処理Ｓ６０と呼出処理Ｓ７０と扉開処理Ｓ８０と無人確認釦待ち処理Ｓ９０と扉閉釦待ち処理Ｓ１１０と第二認証処理Ｓ１２０と操作者判定処理Ｓ１３０と扉閉処理Ｓ１４０と車両搬送処理Ｓ１５０とを実行してもよい。
【０１０８】
認証デバイス発行処理Ｓ１０と関連づけ処理Ｓ２０とを、その順に実施する。
入出庫する車両に対応して、認証デバイス待ち処理Ｓ３０と第一認証処理Ｓ４０と呼釦待ち処理Ｓ６０と呼出処理Ｓ７０と扉開処理Ｓ８０と無人確認釦待ち処理Ｓ９０と扉閉釦待ち処理Ｓ１１０と第二認証処理Ｓ１２０と操作者判定処理Ｓ１３０と扉閉処理Ｓ１４０とを、この順に実施する。
一度の入出庫をする車両に対応して、認証デバイス待ち処理Ｓ３０と第一認証処理Ｓ４０と呼釦待ち処理Ｓ６０と呼出処理Ｓ７０と扉開処理Ｓ８０と無人確認釦待ち処理Ｓ９０と扉閉釦待ち処理Ｓ１１０と第二認証処理Ｓ１２０と操作者判定処理Ｓ１３０と扉閉処理Ｓ１４０と車両搬送処理Ｓ１５０とを、この順に実施してもよい。
【０１０９】
認証デバイス発行処理Ｓ１０と認証デバイス待ち処理Ｓ３０と呼釦待ち処理Ｓ６０と呼出処理Ｓ７０と扉開処理Ｓ８０と無人確認釦待ち処理Ｓ９０と扉閉釦待ち処理Ｓ１１０と扉閉処理Ｓ１４０との構成は、第一の実施形態にかかる駐車装置の制御機器のものと同じなので、説明を省略し、その他の処理を説明する。
【０１１０】
関連づけ処理Ｓ２０は、予め複数の認証デバイスの各々毎に認証デバイスに記録されるコードである認証コードと認証デバイスを与えられた操作者とを関連づける処理である。
例えば、関連づけ処理Ｓ２０は、予め複数の認証デバイスの各々毎に認証デバイスに記録されるコードである認証コードと認証デバイスを与えられた操作者の管理データとを関連づける処理である。
例えば、管理データは、車両の所有者、車両の寸法、重量、車両に割り当てられた駐車空間の番号、駐車契約期間、その他である。
例えば、関連づけ処理Ｓ２０は、予め複数の認証デバイス７の各々毎に認証デバイス７に記録されるコードである認証コードと認証デバイスを与えられた操作者の管理データとを関連づけてデータベース（図示せず）に記憶する。
【０１１１】
関連づけ処理Ｓ２０は、予め複数の認証デバイスの各々毎に認証デバイスに記録された認証コードと認証デバイスを与えられた操作者のコードである操作者コードとを関連づけてもよい。
例えば、関連づけ処理は、予め複数の認証デバイス７の各々毎に認証デバイス７に記録された認証コードと認証デバイスを与えられた操作者のコードである操作者コードとを関連づけてデータベースに記憶する。
【０１１２】
関連づけ処理Ｓ２０は、予め複数の認証デバイスの各々毎に認証デバイスに記録されるコードである認証コードと認証デバイスを与えられた操作者を生体認証したときに得られる情報である生体認証情報とを関連づけてもよい。
例えば、関連づけ処理Ｓ２０は、予め複数の認証デバイスの各々毎に認証デバイスに記録されるコードである認証コードと認証デバイスを与えられた操作者を生体認証したときに得られる情報である生体認証情報とを関連づけてデータベース（図示せず）に記憶する。
【０１１３】
第一認証処理Ｓ４０は、認証部２３１に置かれた認証デバイス７に関連づけられた操作者を認証する処理である。
例えば、第一認証処理Ｓ４０は、入出庫を要求する際に認証部２３１に置かれた認証デバイス７に関連づけられた操作者を認証する処理である。
第一認証処理Ｓ４０は、１回の入出庫処理において操作員を認証する１回目の処理である。
例えば、認証デバイスリーダ２３０が、認証部２３１に乗せられた認証デバイスから認証コードを読み込み、操作者を認証する。
例えば、操作者に手動入力させた操作者コードを用いて操作者を認証する。
例えば、操作者を生体認証してえた生体認証データをもちいて操作者を認証する。
第一認証処理Ｓ４０を完了すると、次の処理に進む。
例えば、第一認証処理Ｓ４０を完了し、認証デバイスが操作員が駐車を契約した者の認証デバイスであると判定すると、次の処理に進む。
説明の便宜上、特定の車両の入庫または出庫の際に、第一認証処理Ｓ４０で認証した認証デバイスを特定認証デバイスと呼称する。
【０１１４】
第一認証処理４０は、操作者により認証デバイス７が認証デバイスリーダ２３０の認証部２３１に置かれるのを待ち、認証デバイス７が認証デバイスリーダ１３０の認証部２３１に置かれると認証デバイス７から認証コードを読み取り、読み取った認証コードである特定認証コードを基に、認証部２３１に置かれた認証デバイス７である特定認証デバイスに関連づけられた操作者を認証してもよい。
第一認証処理Ｓ４０が、第一認証操作をおこなった操作者に対応するコードである認証コードを記録してもよい。
【０１１５】
第二認証処理Ｓ１２０は、操作員を認証する処理である。
第二認証処理Ｓ１２０は、１つの入出庫処理において操作員を認証する２回目の処理である。
例えば、認証デバイスリーダ２３０が、認証部２３１に乗せられた認証デバイスから認証コードを読み込み、操作者を認証する。
例えば、操作者に手動入力させた入力コードを用いて操作者を認証する。
例えば、操作者を生体認証してえた生体認証データをもちいて操作者を認証する。
第二認証処理Ｓ１２０により操作員を認証すると、次の処理に進む。
【０１１６】
操作者判定処理Ｓ１３０は、第一認証処理Ｓ４０で認証した操作員と第二認証工程Ｓ１２０で認証した操作者とが同一であるか否かを判断する処理である。
例えば、操作者判定処理Ｓ１３０は、特定認証コードと第二認証工程で認証した操作者とが関連づけられているか否かを判断する。関連づけられているとき第一認証処理Ｓ４０で認証した操作員と第二認証工程Ｓ１２０で認証した操作者とが同一であると決定する。
関連づけられていないとき第一認証処理Ｓ４０で認証した操作員と第二認証工程Ｓ１２０で認証した操作者とが同一でないと決定する。
【０１１７】
操作者判定処理Ｓ１３０を実施した後で、操作者判定処理Ｓ１３０が第一認証処理Ｓ４０で認証した操作員と第二認証処理Ｓ１２０で認証した操作者とが同一であると判断するとき扉閉処理Ｓ１４０を実施し、操作者判定処理Ｓ１３０が第一認証処理Ｓ４０で認証した操作員と第二認証処理Ｓ１２０で認証した操作者とが同一でないと判断するとき扉閉処理Ｓ１４０を実施しない。
操作者判定処理Ｓ１３０を実施した後で、操作者判定処理Ｓ１３０が特定認証コードと第二認証処理Ｓ１２０で認証した操作者とが関連づけられていると判断するとき扉閉処理Ｓ１４０を実施し、操作者判定処理Ｓ１３０が特定認証コードと第二認証処理Ｓ１２０で認証した操作者とが関連づけられていないと判断するとき扉閉処理Ｓ１４０を実施しない様にしてもよい。
【０１１８】
ここで、特定認証コードは、１回の入出庫処理において第一認証処理Ｓ４０で認証デバイスリーダ２３０が認証デバイス７から読み取った認証コードである。
【０１１９】
第二認証処理Ｓ１２０が、認証デバイスリーダ２３０が認証デバイス７の認証コードを取得する処理であってもよい。
例えば、第二認証処理Ｓ１２０が、認証デバイスリーダ２３０が認証部２３１に置かれた認証デバイス７の認証コードを取得する。
【０１２０】
例えば、操作者判定処理Ｓ１３０を実施した後で、操作者判定処理Ｓ１３０が特定認証コードと第二認証処理Ｓ１２０で認証した認証コードとが同一であるとき、第一認証工程で認証した操作者と第二認証工程で認証した操作者とが同一であると判断して扉閉処理Ｓ１４０を実施し、操作者判定処理Ｓ１３０が特定認証コードと第二認証処理Ｓ１２０で認証した認証コードとが同一でないとき、第一認証工程で認証した操作者と第二認証工程で認証した操作者とが同一でないと判断して扉閉処理Ｓ１４０を実施しない。
【０１２１】
第二認証処理Ｓ１２０が操作者が入力する入力コードを取得する処理であってもよい。
例えば、操作者判定処理Ｓ１３０を実施した後で、操作者判定処理Ｓ１３０が特定認証コードと操作者が入力した入力コードとが対応するとき第一認証工程で認証した操作者と第二認証工程で認証した操作者とが同一であると判断して扉閉処理Ｓ１４０を実施し、操作者判定処理Ｓ１３０が特定認証コードと操作者が入力した入力コードとが対応しないとき、第一認証工程で認証した操作者と第二認証工程で認証した操作者とが同一でないと判断して扉閉処理Ｓ１４０を実施しない。
【０１２２】
第二認証処理Ｓ１２０が生体認証により認証した操作者の生体認証情報を取得する処理であってもよい。
例えば、操作者判定処理Ｓ１３０を実施した後で、操作者判定処理Ｓ１３０が特定認証コードと第二認証処理で生体認証により認証した操作者の生体認証情報とが対応するとき第一認証工程で認証した操作者と第二認証工程で認証した操作者とが同一であると判断して扉閉処理Ｓ１４０を実施し、操作者判定処理Ｓ１３０が特定認証コードと第二認証処理で生体認証により認証した操作者の生体認証情報とが対応しないとき、第一認証工程で認証した操作者と第二認証工程で認証した操作者とが同一でないと判断して扉閉処理Ｓ１４０を実施しない。
【０１２３】
扉閉処理Ｓ１４０の実施し入出庫扉の状態が閉止状態になると、次の処理に進む。
【０１２４】
次に本発明の第二の実施形態にかかる駐車装置の制御方法を、説明する。
本発明の第二の実施形態にかかる駐車装置の制御方法は、準備工程と認証デバイス発行工程と関連づけ工程と認証デバイス待ち工程と第一認証工程呼釦待ち工程と呼出工程と扉開工程と無人確認釦待ち工程と扉閉釦待ち工程と第二認証工程と操作者判定工程と扉閉工程と車両搬送工程で構成される。
【０１２５】
認証デバイス発行工程は、認証デバイス処理Ｓ１０を実行する工程である。
関連づけ工程は、関連づけ処理Ｓ２０を実行する工程である。
認証デバイス待ち工程は、認証デバイス待ち処理Ｓ３０を実行する工程である。
第一認証工程は、第一認証処理Ｓ４０を実行する工程である。
呼釦待ち工程は、呼釦待ち処理Ｓ６０を実行する工程である。
呼出工程は、呼出処理をＳ７０実行する工程である。
扉開工程は、扉開処理Ｓ８０を実行する工程である。
無人確認釦待ち工程は、無人確認釦待ち処理Ｓ９０を実行する工程である。
扉閉釦待ち工程は、扉閉釦待ち処理Ｓ１１０を実行する工程である。
第二認証工程は、第二認証処理Ｓ１２０を実行する工程である。
操作者判定工程は、操作者判定処理Ｓ１３０を実行する工程である。
扉閉工程は、扉閉処理Ｓ１４０を実行する工程である。
車両搬送工程は、車両搬送処理Ｓ１５０を実行する工程である。
【０１２６】
各処理の詳細は構成は、第二の実施形態にかかる駐車装置の制御機器で説明したものと同じなので、説明を省略する。
【０１２７】
以下に、発明の第二の実施形態にかかる駐車装置の制御機器とその制御方法の作用を、図を基に、説明する。
最初に入庫処理を説明する。
図７は、本発明の第二の実施形態にかかる入庫モードの作用説明図である。
ここで、ドライバ６は駐車する車両を運転する者であり、操作者は駐車装置の操作を許可される者である。一般にドライバ６０と操作者とは同一の者である。
【０１２８】
（ステップ１）
ドライバ６が、車両を入出庫空扉１３０の前に止め、車から降りる。
このとき、入出庫扉１３０の状態は閉止状態である。
ドライバ６が、操作盤の前に立つ。
ドライバ６は、自分の認証デバイス７を認証デバイスリーダ２３０の認証部２３１に置く。
認証デバイスリーダ２３０は、認証デバイス７の在席を検知する。
操作盤は、ドライバ６が契約者であることを確認し、ドライバ６に次ぎの操作を促す。
【０１２９】
（ステップ２）
ドライバ６が、操作盤面２１０にある呼釦２２０を押す。
ドライバ６が待っていると、空パレットが入出庫空間１２０に呼びだされ、入出庫扉１３０が開く。
仮に、入出庫扉の状態が閉止状態から開放状態に変化する途中にドライバ６が認証デバイスを認証デバイスリーダ２３０の認証部２３１から離すと、入出庫扉の状態が中途停止状態になる。
仮に、入出庫扉の状態が中途停止状態であるときに、ドライバ６は認証デバイスを認証デバイスリーダ２３０の認証部２３１に置いて、呼釦２２０を再度押すと、入出庫扉の状態が中途停止状態から開放状態に変化する。
【０１３０】
（ステップ３）
ドライバ６が、車両５を入出庫空間に入れ、車両５をパレットに乗せる。
ドライバ６が、車両５から降りて、入出庫空間１２０から外へでて、操作盤面２１０の前に立つ。
操作盤が、ドライバ６に庫内の無人確認を促す。
ドライバ６が、入出庫空間に人がいないことを確認する。
ドライバ６が、操作盤の無人確認釦を押す。
【０１３１】
（ステップ４）
操作盤が、ドライバ６に扉閉釦２４０を押すことを促す。
ドライバ６が、操作盤の扉閉釦２４０を押す。
【０１３２】
認証デバイスリーダ２３０の認証部２３１におかれた認証デバイスで操作者を認証する場合は、ステップ５を実行する。
ドライバのコード入力により操作者を認証する場合は、ステップ５’を実行する。
生体認証により操作者を認証する場合は、ステップ５”を実行する。
（ステップ５）
認証デバイスリーダ２３０は認証デバイスから認証コードを読み取る。
認証デバイスが車両を入れたドライバの認証デバイスの認証コードであることを判断して、入出庫扉１３０が閉じる。
（ステップ５’）
操作盤が、ドライバ６に操作者コードの入力を促す。
ドライバ６が、操作盤にマニュアルで操作者コードをキー入力する。
ドライバ６が、車両を入れたドライバであると判断して、入出庫扉１３０が閉じる。
（ステップ５”）
操作盤が、ドライバ６を生体認証により認証する。
例えば、操作盤が、ドライバ６の指紋情報を読み取り、生体認証により認証する。
ドライバ６が、車両を入れたドライバであるので、入出庫扉１３０が閉じる。
【０１３３】
（ステップ６）
ドライバ６が認証デバイス７を取り上げ、立ち去る。
【０１３４】
次は、出庫処理を説明する。
図６は、本発明の第二の実施形態にかかる駐車装置での出庫モードの作用説明図である。
【０１３５】
（ステップ１）
このとき、入出庫扉１３０の状態は閉止状態である。
ドライバ６が、操作盤の前に立つ。
ドライバ６は、自分の認証デバイス７を認証デバイスリーダ２３０の認証部２３１に置く。
認証デバイスリーダ２３０が、認証デバイス７の在席を検知する。
操作盤は、ドライバ６が契約者であることを確認し、ドライバ６に次ぎの操作を促す。
【０１３６】
（ステップ２）
ドライバ６が、操作盤面２１０にある呼釦２２０を押す。
ドライバ６が待っていると、ドライバ６の車両を載せたパレットが入出庫空間１２０に呼びだされ、入出庫扉１３０が開く。
仮に、入出庫扉の状態が閉止状態から開放状態に変化する途中にドライバ６が認証デバイスを認証デバイスリーダ２３０の認証部２３１から外すと、入出庫扉１３０の状態が中途停止状態になる。
仮に、入出庫扉の状態が中途停止状態であるときに、ドライバ６は認証デバイスを認証デバイスリーダ２３０の認証部２３１に置いて、呼釦２２０を再度押すと、入出庫扉１３０の状態が中途停止状態から開放状態に変化する。
【０１３７】
（ステップ３）
ドライバ６が、入出庫空間に入り、車に乗り込み、入出庫空間１２０から出す。
ドライバ６が、車両から降りて、操作盤面２１０の前に立つ。
操作盤面２１０が、ドライバ６に庫内の無人確認を促す。
ドライバ６が、入出庫空間に人がいないことを確認する。
ドライバ６が、操作盤面２１０の無人確認釦を押す。
【０１３８】
（ステップ４）
操作盤面２１０が、ドライバ６に扉閉釦２４０を押すことを促す。
ドライバ６が、操作盤の扉閉釦２４０を押す。
【０１３９】
認証デバイスリーダ２３０の認証部２３１におかれた認証デバイスで操作者を認証する場合は、ステップ５を実行する。
ドライバのコード入力により操作者を認証する場合は、ステップ５’を実行する。
生体認証により操作者を認証する場合は、ステップ５”を実行する。
（ステップ５）
認証デバイスリーダ２３０は認証デバイスから認証コードを読み取る。
認証デバイスが車両を入れたドライバの認証デバイスの認証コードであることを判断して、入出庫扉１３０が閉じる。
（ステップ５’）
操作盤が、ドライバ６に操作者コードの入力を促す。
ドライバ６が、操作盤にマニュアルで操作者コードをキー入力する。
ドライバ６が、車両を入れたドライバであると判断するので、入出庫扉１３０が閉じる。
（ステップ５”）
操作盤が、ドライバ６を生体認証により認証する。
例えば、操作盤が、ドライバ６の指紋情報を読み取り、生体認証により認証する。
ドライバ６が、車両を入れたドライバであるので、入出庫扉１３０が閉じる。
【０１４０】
（ステップ６）
ドライバ６が認証デバイス７を取り上げ、立ち去る。
【０１４１】
仮に、入出庫扉１３０の状態を開放状態にしたまま、ドライバ６が認証デバイス７を持って立ち去ると以下の通りになる。
他のドライバ６が、入出庫扉１３０が開放状態にあるのを発見する。
他のドライバ６が、扉閉釦を押す。
入出庫扉１３０が閉止状態にならない。
所定の時間を経過して、警告信号がでる。
管理人によって、安全を確認した後で、復旧処理を行う。
他のドライバ６が次ぎの入庫を行う。
【０１４２】
次ぎに、本発明の第三の実施形態にかかる駐車装置を、図を基に、説明する。
図９は、本発明の第三の実施形態に係る駐車装置の処理フロー図である。
第二の実施形態にかかる駐車装置の制御機器は、認証した操作者に駐車空間を時間貸しする駐車装置を制御する機器である。
【０１４３】
第三の実施形態にかかる駐車装置の制御機器は、操作者の持つ認証デバイスの認証コードをもちいて操作者を認証してもよい。
第三の実施形態にかかる駐車装置の制御機器は、操作者の入力した操作者コードをもちいて操作者を認証してもよい。
第三の実施形態にかかる駐車装置の制御機器は、生体認証により操作者を認証してもよい。
生体認証は、操作者の生物的特徴をもちいて認証する方法である。生物的特徴は、指紋、静脈パターン、網膜、音声、その他である。
【０１４４】
ドライバと操作者とが異なる場合もある。
説明の便宜上、駐車機構が車両をパレットに乗せて取り扱う形式であるとして、説明する。
以下で、制御機器２００の実施する入出庫処理を説明する。
【０１４５】
本発明の実施形態にかかる駐車装置は、操作者に対応する車両を駐車させる装置である。
本発明の実施形態にかかる駐車装置は、複数の操作者に各々に対応する複数の車両を各々に駐車させる装置であってもよい。
【０１４６】
本発明の第三の実施形態にかかる駐車装置の制御方法は、操作者に対応する車両を入出庫扉を設けられる入出庫空間に入出庫させて駐車させる方法である。
本発明の実施形態にかかる駐車装置の制御方法は、複数の操作者に各々に対応する複数の車両を入出庫扉を設けられる入出庫空間に入出庫させて各々に駐車させる方法であってもよい。
【０１４７】
本発明の第三の実施形態にかかる駐車装置の制御機器２００は、認証デバイス発行処理Ｓ１０と関連づけ処理Ｓ２０と認証デバイス待ち処理Ｓ３０と第一認証処理Ｓ４０と呼び出し番号入力Ｓ５０と呼釦待ち処理Ｓ６０と呼出処理Ｓ７０と扉開処理Ｓ８０と無人確認釦待ち処理Ｓ９０と安全確認釦待ち処理Ｓ１００と扉閉釦待ち処理Ｓ１１０と第二認証処理Ｓ１２０と操作者判定処理Ｓ１３０と扉閉処理Ｓ１４０と車両搬送処理Ｓ１５０とを実行する。
認証デバイス発行処理Ｓ１０と関連づけ処理Ｓ２０とを実施する。
一度の入出庫をする車両に対応して、認証デバイス待ち処理Ｓ３０と第一認証処理Ｓ４０と呼び出し番号処理Ｓ５０と呼釦待ち処理Ｓ６０と呼出処理Ｓ７０と扉開処理Ｓ８０と無人確認釦待ち処理Ｓ９０と安全確認釦待ち処理Ｓ１００と扉閉釦待ち処理Ｓ１１０と第二認証処理Ｓ１２０と操作者判定処理Ｓ１３０と扉閉処理Ｓ１４０と車両搬送処理Ｓ１５０とを、この順に実施する。
【０１４８】
認証デバイス発行処理Ｓ１０と認証デバイス待ち処理Ｓ３０と第一認証処理Ｓ４０と呼釦待ち処理Ｓ６０と呼出処理Ｓ７０と扉開処理Ｓ８０と無人確認釦待ち処理Ｓ９０と扉閉釦待ち処理Ｓ１１０と第二認証処理Ｓ１２０と操作者判定処理Ｓ１３０と扉閉処理Ｓ１４０と車両搬送処理Ｓ１５０との構成は、第二の実施形態にかかる駐車装置の制御機器のものと同じなので、説明を省略し、その他の処理を説明する。
【０１４９】
呼び出し番号処理Ｓ５０は、、呼出すパレット番号の入力を受け付ける処理である。
呼出すパレット番号の入力を受け付けると、次の処理を実行する。
【０１５０】
安全確認釦待ち処理Ｓ１００は、操作者が安全確認をし安全確認釦を押すのを待つ処理である。
例えば、安全確認釦待ち処理Ｓ１００は、操作者に庫内が無人であることを確認することを促す。
例えば、安全確認釦待ち処理Ｓ１００は、操作盤により操作者に庫内が無人であることを確認することを促す。
例えば、安全確認釦待ち処理Ｓ１００は、操作者が無人確認ボタンを押すのを待つ処理である。
操作者が安全確認釦を押すＳ５７が無人確認ボタンを押されるのを確認すると、次の理を行う。
【０１５１】
次に本発明の第三の実施形態にかかる駐車装置の制御方法を、説明する。
本発明の第桟の実施形態にかかる駐車装置の制御方法は、準備工程と認証デバイス発行工程と認証デバイス待ち工程と第一認証工程と呼び出し番号入力工程と呼釦待ち工程と呼出工程と扉開工程と無人確認釦待ち工程と安全確認釦待ち工程と扉閉釦待ち工程と第二認証工程と操作者判定工程と扉閉工程と車両搬送工程で構成される。
【０１５２】
認証デバイス発行工程は、認証デバイス発行処理Ｓ１０を実行する工程である。
関連づけ工程は、関連づけ処理Ｓ２０を実行する工程である。
認証デバイス待ち工程は、認証デバイス待ち処理Ｓ３０を実行する工程である。
第一認証工程は、第一認証処理Ｓ４０を実行する工程である。
呼び出し番号入力工程は、呼び出し番号入力処理Ｓ５０を実行する工程である。
呼釦待ち工程は、呼釦待ち処理Ｓ６０を実行する工程である。
呼出工程は、呼出処理Ｓ７０を実行する工程である。
扉開工程は、扉開処理を実行する工程である。
無人確認釦待ち工程は、無人確認釦待ち処理Ｓ９０を実行する工程である。
安全確認釦待ち工程は、安全確認釦待ち処理Ｓ１００ゐ実行する工程である。
扉閉釦待ち工程は、扉閉釦待ち処理Ｓ１１０を実行する工程である。
第二認証工程は、第二認証処理Ｓ１２０を実行する工程である。
操作者判定工程は、操作者判定処理Ｓ１３０を実行する工程である。
扉閉工程は、扉閉処理Ｓ１４０を実行する工程である。
車両搬送工程は、車両搬送処理Ｓ１５０を実行する工程である。
【０１５３】
各処理の詳細は構成は、第二の実施形態にかかる駐車装置の制御機器で説明したもの之と何なので、説明を省略する。
【０１５４】
以下に、発明の第三の実施形態にかかる駐車装置とその制御方法の作用を、図を基に、説明する。
最初に入庫処理を説明する。
図８は、本発明の第桟の実施形態にかかる入庫の作用説明図である。
ここで、ドライバ６は駐車する車両を運転する者であり、操作者は駐車装置の運用を担当する者である。一般にドライバ６０と操作者とは異なる者である。
【０１５５】
（ステップ１）
このとき、入出庫扉１３０の状態は閉止状態である。
操作者が、操作盤の前に立つ。
操作者は、自分の認証デバイスを認証デバイスリーダ２３０の認証部２３１に置く。
操作盤は、操作者が契約者であることを確認し、操作者に次ぎの操作を促す。
【０１５６】
（ステップ２）
操作者が、空釦を押すか、車室番号を入力する。
【０１５７】
（ステップ３）
操作者が、操作盤面２１０の呼釦２２０を押す。
操作者が待っていると、空パレットが入出庫空間１２０に呼びだされ、入出庫扉１３０が開く。
仮に、入出庫扉１３０の状態が閉止状態から開放状態に変化する途中にドライバ６が認証デバイスを認証デバイスリーダ２３０の認証部２３１から離すと、入出庫扉１３０の状態が中途停止状態になる。
仮に、入出庫扉１３０の状態が中途停止状態であるときに、ドライバ６は認証デバイス７を認証デバイスリーダ２３０の認証部２３１に置いて、呼釦２２０を再度押すと、入出庫扉１３０の状態が中途停止状態から開放状態に変化する。
【０１５８】
（ステップ４）
ドライバ６が、車両に乗り、車両を入出庫空間に入れ、車両を空パレットに乗せる。
ドライバ６が、車両から降りて、入出庫空間１２０から外へでる。
操作盤が、ドライバ６に庫内の無人確認を促す。
ドライバ６が、入出庫空間１２０に人がいないことを目視で確認する。
ドライバ６が、操作盤の無人確認釦を押す。
【０１５９】
（ステップ５）
操作盤が、操作者に安全確認を促す。
操作者が、入出庫空間の安全を確認し、安全確認釦を押す。
【０１６０】
（ステップ６）
操作盤が、操作者に扉閉釦２４０を押すことを促す。
操作者が、操作盤の扉閉釦２４を押す。
【０１６１】
認証デバイスリーダ２３０の認証部２３１におかれた認証デバイスで操作者を認証する場合は、ステップ７を実行する。
ドライバのコード入力により操作者を認証する場合は、ステップ７’を実行する。
生体認証により操作者を認証する場合は、ステップ７”を実行する。
（ステップ７）
認証デバイスリーダ２３０は認証デバイスから認証コードを読み取る。
認証デバイスが車両を入れたドライバの認証デバイスの認証コードであることを判断して、入出庫扉１３０が閉じる。
（ステップ７’）
操作盤が、ドライバ６に操作者コードの入力を促す。
ドライバ６が、操作盤にマニュアルで操作者コードをキー入力する。
ドライバ６が、車両を入れたドライバであると判断して、入出庫扉１３０が閉じる。
（ステップ７”）
操作盤が、ドライバ６を生体認証により認証する。
例えば、操作盤が、ドライバ６の指紋情報を読み取り、生体認証により認証する。
ドライバ６が、車両を入れたドライバであるので、入出庫扉１３０が閉じる。
【０１６２】
（ステップ８）
操作者が認証デバイス７を認証デバイスリーダ２３０の認証部２３１から離す。
【０１６３】
次に、出庫処理を説明する。
図１１は、本発明の第三の実施形態にかかる駐車装置の出庫モードの作用説明図である。
【０１６４】
（ステップ１）
このとき、入出庫扉１３０の状態は閉止状態である。
操作者が、操作盤の前に立つ。
操作者は、自分の認証デバイスを認証デバイスリーダ２３０の認証部２３１に置く。
操作盤は、操作者が契約者であることを確認し、操作者に次ぎの操作を促す。
【０１６５】
（ステップ２）
操作者が、入庫時にドライバ６の車両を入庫させた車室の番号である車室番号を入力する。
【０１６６】
（ステップ３）
操作盤面２１０は、操作者に呼釦２２０を押すことを促す。
操作者が、操作盤面２１０の呼釦２２０を押す。
【０１６７】
（ステップ４）
操作者が待っていると、ドライバ６の車両を載せたパレットが入出庫空間１２０に呼びだされ、入出庫扉１３０が開く。
ドライバ６が、入出庫空間に入り、車に乗り込み、車両を入出庫空間１２０から出す。
ドライバ６が、車両から降りて、操作盤面２１０の前に立つ。
操作盤面２１０が、ドライバ６に庫内の無人確認を促す。
ドライバ６が、入出庫空間に人がいないことを目視で確認する。
ドライバ６が、操作盤面２１０の無人確認釦を押す。
【０１６８】
（ステップ５）
操作盤面２１０が、操作者に安全確認を促す。
操作者が、入出庫空間１２０の安全を確認して、安全確認釦を押す。
【０１６９】
（ステップ６）
操作盤面２１０が、操作者に操作盤面の扉閉釦２４０を押すことを促す。
操作者が、操作盤面の扉閉釦２４０を押す。
【０１７０】
認証デバイスリーダ２３０の認証部２３１におかれた認証デバイスで操作者を認証する場合は、ステップ７を実行する。
ドライバのコード入力により操作者を認証する場合は、ステップ７’を実行する。
生体認証により操作者を認証する場合は、ステップ７”を実行する。
（ステップ７）
認証デバイスリーダ２３０は認証デバイスから認証コードを読み取る。
認証デバイスが車両を入れたドライバの認証デバイスの認証コードであることを判断して、入出庫扉１３０が閉じる。
（ステップ７’）
操作盤が、ドライバ６に操作者コードの入力を促す。
ドライバ６が、操作盤にマニュアルで操作者コードをキー入力する。
ドライバ６が、車両を入れたドライバであることを判断して、入出庫扉１３０が閉じる。
（ステップ７”）
操作盤が、ドライバ６を生体認証により認証する。
例えば、操作盤が、ドライバ６の指紋情報を読み取り、生体認証により認証する。
ドライバ６が、車両を入れたドライバであるので、入出庫扉１３０が閉じる。
【０１７１】
（ステップ８）
操作者がカードりーダ２３０の認証部２３１から認証デバイス７を離す。
【０１７２】
仮に、入出庫扉の状態を開放状態のままにして、操作者が立ち去ると以下の通りになる。
他の操作者が、入出庫扉１３０が開放状態にあるのを発見する。
他の操作者が、扉閉釦を押す。
入出庫扉１３０が閉止状態にならない。
所定の時間を経過して、警告信号がでる。
管理人によって、安全を確認した後で、復旧処理を行う。
他の操作者が次ぎの入出庫を行う。
【０１７３】
また、本発明の実施形態に係る駐車装置の制御機器は、その構成により、以下の効果を有する。
操作盤面２１０に呼釦２２０と認証デバイスリーダ２３０とを準備し、入出庫扉１３０の状態が閉止状態であるときに入出庫を要求する操作者のもつ特定認証デバイスが操作者により認証部２３１に置かれて且つ操作者により呼釦２２０を押されると入出庫扉１３０の状態を閉止状態から開放状態の方に変化させ、
入出庫扉１３０の状態が閉止状態であるときに認証デバイスが認証部に置かれていないと入出庫扉の状態を閉止状態から変化させない様にしたので、操作者が認証デバイスを認証デバイスリーダの認証部に置くように誘導できる。
また、特定認証デバイスが認証部２３１に置かれており入出庫扉１３０の状態が閉止状態から開放状態へ変化する途中で特定認証デバイスが操作者により認証部２３１から離されると入出庫扉１３０の状態を中途停止状態にする様にしたので、操作者が認証デバイスを認証デバイスリーダ２３０の認証部２３１から離すのを抑制できる。
また、入出庫扉１３０の状態が中途停止状態であるときに特定認証デバイスが操作者により認証部２３１に置かれると入出庫扉１３０の状態を中途停止状態から開放状態の方に変化させ、入出庫扉１３０の状態が中途停止状態であるときに特定認証デバイスが認証部２３１に置かれていないと入出庫扉１３０の状態を中途停止状態から変化させない様にしたので、操作者が認証デバイス７を認証デバイスリーダ２３０の認証部２３１に置くように誘導できる。
また、入出庫扉１３０の状態が中途停止状態であるときに特定認証デバイスが操作者により認証部２３１に置かれて且つ操作者により呼釦２２０を押されると入出庫扉１３０の状態を中途停止状態から開放状態の方に変化させ、入出庫扉１３０の状態が中途停止状態であるときに特定認証デバイスが認証部２３１に置かれていないと入出庫扉１３０の状態を中途停止状態から変化させない様にしたので、操作者が認証デバイスを認証デバイスリーダ２３０の認証部２３１に置くように誘導できる。
また、特定認証デバイスが認証部２３１に置かれており入出庫扉１３０の状態が閉止状態から開放状態へ変化する途中で操作者により特定認証デバイスが認証部２３１から離されると入出庫扉１３０の状態を閉止状態に戻す様にしたので、操作者が認証デバイス７を認証デバイスリーダ２３０の認証部２３１から離すのを抑制できる。
また、特定認証デバイスが認証部２３１に置かれており入出庫扉１３０の状態が閉止状態から開放状態への全工程の所定値％以前の途中工程中を変化する途中で特定認証デバイスが操作者により認証部２３１から離されると入出庫扉１３０の状態を中途停止状態にし、特定認証デバイスが認証部２３１に置かれおり入出庫扉１３０の状態が閉止状態から開放状態への全工程の所定値％以降の途中工程中を変化する途中で特定認証デバイスが操作者により認証部２３１から離されても入出庫扉１３０の状態を停止せず開放状態になるまで変化させる様にしたので、操作者が認証デバイス７をイメージリーダ２３０の認証部２３１から離すのを抑制でき、入出庫扉１３０が開放状態に近い中途半端な状態で停止するのを防止できる。
また、特定認証デバイスが認証部２３１に置かれており入出庫扉１３０の状態が閉止状態から開放状態への全工程の所定値％以前の途中工程中を変化する途中で操作者により特定認証デバイスが認証部か２３１ら離されると入出庫扉１３０の状態を停止した後で閉止状態に戻し、特定認証デバイスが認証部２３１に置かれており入出庫扉１３０の状態が閉止状態から開放状態への全工程の所定値％以降の途中工程中を変化する途中で操作者により特定認証デバイスが認証部２３１から離されても入出庫扉１３０の状態を停止せず開放状態になるまで変化させる様にしたので、操作者が認証デバイスを認証デバイスリーダ２３０の認証部２３１から離すのを抑制でき、入出庫扉１３０が開放状態に近い中途半端な状態で停止するのを防止できる。
また、特定認証デバイスが認証部２３１に置かれており入出庫扉１３０の状態が閉止状態から開放状態へ変化する途中で操作者により特定認証デバイスが認証部２３１から離されると視覚または聴覚の少なくとも一つの感覚に感じさせる手段で操作者に警告する様にしたので、操作者が、操作者が認証デバイスを認証デバイスリーダ２３０の認証部２３１から離すのを抑制できる。
また、認証部２３１が操作盤面の奥行き方向に延び奥に遷移するに従って下方に傾斜する面状の部分である様にしたので、認証デバイスリーダ２３０の認証部２３１に置かれた認証デバイス７が認証部から滑り落ちるのを抑制できる。
また、入出庫扉１３０の状態が開放状態であるときに操作者により扉閉釦２４０を押されると入出庫扉１３０の状態を開放状態から閉止状態の方に変化させ、
入出庫扉１３０の状態が開放状態であるときに操作者により扉閉釦２４０を押されないと入出庫扉の状態を開放状態から変化させない様にしたので、扉閉処理時に操作者の操作により入出庫扉１３０を閉じる。
また、入出庫扉１３０の状態が開放状態であるときに操作者により特定認証デバイスが認証部２３１に置かれて且つ操作者により扉閉釦１３０を押されると入出庫扉１３０の状態を開放状態から閉止状態の方に変化させ、
入出庫扉１３０の状態が開放状態であるときに特定認証デバイスが認証部２３１に置かれていないと入出庫扉１３０の状態を開放状態から変化させない様にしたので、扉閉処理時に操作者が認証デバイス７を認証デバイスリーダ２３０の認証部２３１から離すのを抑制できる。
また、特定認証デバイスが認証部２３１に置かれており入出庫扉１３０の状態が開放状態であるときに操作者により特定認証デバイスが認証部２３１から離されてから所定時間内に操作者により扉閉釦２４０を押されると入出庫扉１３０の状態を開放状態から閉止状態の方に変化させ、
特定認証デバイスが認証部２３１に置かれており入出庫扉１３０の状態が開放状態であるときに特定認証デバイスが操作者により認証部２３１から離されてから所定時間を越えると入出庫扉１３０の状態を開放状態から変化させない様にしたので、扉閉処理Ｓ１４０時に操作者が認証デバイス７を認証デバイスリーダ２３０の認証部２３１から離しても扉を閉めることができる。
また、特定認証デバイスが認証部２３１に置かれており入出庫扉１３０の状態が開放状態から閉止状態への変化する途中で操作者により特定認証デバイスが認証部２３１から離されても入出庫扉１３０を停止せず閉止状態に変化させる様にしたので、入出庫扉１３０が閉じ始めると操作者の操作にかかわらず閉止状態になる。
また、特定認証デバイスが認証部２３１に置かれており入出庫扉１３０の状態が開放状態から閉止状態への変化する途中で操作者により特定認証デバイスが認証部２３１から離されると入出庫扉１３０を停止させる様にしたので、操作者が認証デバイス７を認証デバイスリーダ２３０の認証部２３１から離すのを抑制でき、入出庫扉１３０が閉止状態になるまで操作者を操作盤面２１０に引き止めることができる。
また、特定認証デバイスが認証部２３１に置かれており入出庫扉１３０の状態が開放状態から閉止状態への全工程の所定値％以前の途中工程中を変化する途中で操作者により特定認証デバイスが認証部２３１から離されると入出庫扉１３０を停止させ、
特定認証デバイスが認証部２３１に置かれており入出庫扉１３０の状態が開放状態から閉止状態への全工程の所定値％以降の途中工程中を変化する途中で操作者により特定認証デバイスが認証部２３１から離されても入出庫扉１３０を停止せず閉止状態まで変化させる様にしたので、操作者が認証デバイス７を認証デバイスリーダ２３０の認証部２３１から離すのを抑制でき、入出庫扉が閉止状態になるまで操作者を操作盤面に引き止めることができ、且つ入出庫扉１３０が閉止状態に近い中途半端な状態で停止するのを防止できる。
また、特定認証デバイスが認証部２３１に置かれており入出庫扉１３０の状態が開放状態から閉止状態へ変化する途中で操作者により特定認証デバイスが認証部２３１から離されると入出庫扉１３０の状態を停止した後で開放状態に戻す様にしたので、操作者が認証デバイスを認証デバイスリーダ２３０の認証部２３１から離すのを抑制でき、入出庫扉１３０が閉止状態になるまで操作者を操作盤面２１０に引き止めることができる。
また、特定認証デバイスが認証部２３１に置かれており入出庫扉１３０の状態が開放状態から閉止状態への全工程の所定値％以前の途中工程中を変化する途中で操作者により特定認証デバイスが認証部２３１から離されると入出庫扉１３０の状態を停止した後で開放状態に戻し、特定認証デバイスが認証部２３１に置かれており入出庫扉１３０の状態が開放状態から閉止状態への全工程の所定値％以降の途中工程中を変化する途中で操作者により特定認証デバイスが認証部２３１から離されても入出庫扉１３０の状態を停止せず閉止状態まで変化させる様にしたので、操作者が認証デバイス７を認証デバイスリーダ２３０の認証部２３１から離すのを抑制でき、入出庫扉１３０が閉止状態になるまで操作者を操作盤面２１０に引き止めることができ、且つ入出庫扉１３０が閉止状態に近い中途半端な状態で停止するのを防止できる。
【０１７４】
以上説明したように、本発明に係る駐車装置の制御方法は、その構成により、以下の効果を有する。
操作盤面に呼釦２２０と認証デバイスリーダ２３０とを準備し、入出庫扉１３０の状態が閉止状態であるときに入出庫を要求する操作者のもつ特定認証デバイスが操作者により認証部２３１に置かれて且つ操作者により呼釦２２０を押されると入出庫扉の状態を閉止状態から開放状態の方に変化させ、入出庫扉１３０の状態が閉止状態であるときに認証デバイスが認証部２３１に置かれていないと入出庫扉１３０の状態を閉止状態から変化させない様にしたので、操作者が認証デバイスを認証デバイスリーダ２３０の認証部２３１に置くように誘導できる。
また、特定認証デバイスが認証部２３１に置かれており入出庫扉１３０の状態が閉止状態から開放状態への変化する途中で特定認証デバイスが操作者により認証部２３１から離されて認証不能の状態になると入出庫扉１３０の状態を中途停止状態にする様にしたので、操作者が認証デバイスを認証デバイスリーダの認証部から離すのを抑制できる。
また、操作者判定処理を実施した後で、特定認証デバイスが認証部２３１に置かれて且つ操作者判定処理が特定認証コードと第二認証処理で認証した操作者とが関連づけられていると判断するとき扉閉処理を実施し、前特定認証デバイスが認証部に置かれていないとき扉閉処理を実施しない様にしたので、異なる操作者が扉閉処理をするのを防止できる。
また、操作者判定処理Ｓ１３０を実施した後で、特定認証デバイスが認証部２３１に置かれて且つ操作者判定処理Ｓ１３０が特定認証コードと第二認証処理で認証した操作者とが関連づけられていると判断するとき扉閉処理Ｓ１４０を実施し、前特定認証デバイスが認証部２３１に置かれていないとき扉閉処理Ｓ１４０を実施しない様にしたので、異なる操作者が扉閉処理をするのを防止できる。
【０１７５】
本発明は以上に述べた実施形態に限られるものではなく、発明の要旨を逸脱しない範囲で各種の変更が可能である。
車両をパレットに載せて搬送する形式の駐車装置を例に説明したがこれに限定されない。例えば、車両を直接に支持して搬送する形式の駐車装置であってもよいし、車両をコンベヤに乗せて搬送する形式の駐車装置であってもよい。
入出庫空間は、入庫専用空間であってもよい。
入出庫空間は、出庫専用空間であってもよい。
図では、駐車機構はエレベータ方式であるとして説明したが、これに限定されない。例えば、他の形式の駐車機構であってもよい。
地上３段式のばあい、駐車機構は複数の入出庫扉をもつ。
駐車空間と入出庫空間とが判然と区別されていない形式の駐車機構であってもよい。
【符号の説明】
【０１７６】
５  車両
６  操作者
７  認証デバイス
１００  駐車機構
１２０  入出庫空間
１３０  入出庫扉
２００  制御機器
２１０  操作盤面
２２０  呼釦
２３０  認証デバイスリーダ
２３１  認証部
２４０  扉閉釦
２５０  カード取出ランプ
２６０  カード認識ランプ
２７０  操作モニタ
２８０  暗証テンキー
２９０  生体認証パッド２９０
Ｓ１０  認証デバイス発行処理
Ｓ２０  関連づけ処理
Ｓ３０  認証デバイス待ち処理
Ｓ４０  第一認証処理
Ｓ５０  呼び出し番号処理
Ｓ６０  呼釦待ち処理
Ｓ７０  呼出処理
Ｓ８０  扉開処理
Ｓ９０  無人確認釦待ち処理
Ｓ１００  安全確認釦待ち処理
Ｓ１１０  扉閉釦待ち処理
Ｓ１２０  第二認証処理
Ｓ１３０  操作者判定処理
Ｓ１４０  扉閉処理
Ｓ１５０  車両搬送処理
【先行技術文献】
【特許文献】
【０１７７】
【特許文献１】特開２０１６−０４４４４５号
【図１】
2020186561.tif 000003
【図２】
2020186561.tif 000004
【図３】
2020186561.tif 000005
【図４】
2020186561.tif 000006
【図５】
2020186561.tif 000007
【図６】
2020186561.tif 000008
【図７】
2020186561.tif 000009
【図８】
2020186561.tif 000010
【図９】
2020186561.tif 000011
【図１０】
2020186561.tif 000012
【図１１】
2020186561.tif 000013